(57)【要約】  ワイヤレス通信のための方法、装置、およびコンピュータプログラム製品が提供される。本装置は、全二重モードで動作している第１のワイヤレスデバイスから意図された信号を受信し、第１のワイヤレスデバイスと通信している第２のワイヤレスデバイスから干渉信号を受信し、受信された意図された信号の行列を干渉信号に関連する空間上に射影することによって、干渉信号によって引き起こされる受信された意図された信号の干渉を低減する。
2016511986.tif 000002
【特許請求の範囲】
【請求項１】
全二重モードで動作している第１のワイヤレスデバイスから意図された信号を受信することと、
前記第１のワイヤレスデバイスと通信している第２のワイヤレスデバイスから干渉信号を受信することと、
前記受信された意図された信号の行列を前記干渉信号に関連する空間上に射影することによって、前記干渉信号によって引き起こされる前記受信された意図された信号の干渉を低減することと
を備えるワイヤレス通信の方法。
【請求項２】
前記第２のワイヤレスデバイスに関するチャネル利得を決定することと、
前記チャネル利得に基づいて零空間を決定することと、をさらに備え、
ここにおいて、前記空間が前記零空間である、請求項１に記載の方法。
【請求項３】
前記第１のワイヤレスデバイスに関する第１のチャネル利得と前記第２のワイヤレスデバイスに関する第２のチャネル利得とを決定することと、
前記第１のチャネル利得と前記第２のチャネル利得とに基づいて部分空間を決定することと、をさらに備え、
ここにおいて、前記空間が前記部分空間であり、前記部分空間が、信号対干渉プラス雑音比（ＳＩＮＲ）を増加させるように構成された、請求項１に記載の方法。
【請求項４】
前記部分空間がＨ*（ｐ×ｇｇH＋σ2Ｉ）-1として定義され、
ただし、Ｈは前記第１のチャネル利得であり、ｐは前記干渉信号の電力であり、ｇは前記第２のチャネル利得であり、ｇHはｇのエルミート共役であり、Ｉは単位行列であり、σ2は受信機における雑音の分散である、請求項３に記載の方法。
【請求項５】
前記干渉信号が、前記受信された意図された信号と同時に受信され、ここにおいて、前記干渉信号と前記受信された意図された信号とが同じキャリア周波数上で受信される、請求項１に記載の方法。
【請求項６】
前記受信された意図された信号が、前記第１のワイヤレスデバイスのアンテナの異なるセットから受信された複数の信号を備え、前記方法が、前記受信された複数の信号に基づいて前記行列を構成することをさらに備える、請求項１に記載の方法。
【請求項７】
全二重モードで動作している第１のワイヤレスデバイスから第１の信号を受信することと、
前記第１のワイヤレスデバイスに第２の信号を通信している第２のワイヤレスデバイスから前記第２の信号を受信することと、前記第１のワイヤレスデバイスが、同じキャリア周波数上で前記第１の信号を送信するのと同時に前記第２の信号を受信し、前記第２の信号が、前記同じキャリア周波数上の前記第１の信号と同時に受信され、前記第２の信号が干渉信号である、
前記受信された信号の行列を前記干渉信号に関連する空間上に射影することによって、前記干渉信号により引き起こされる前記受信された第１の信号の干渉を低減することと、
を備えるワイヤレス通信の方法。
【請求項８】
前記第２のワイヤレスデバイスに関するチャネル利得を決定することと、
前記チャネル利得に基づいて零空間を決定することと、をさらに備え、
ここにおいて、前記空間が前記零空間である、請求項７に記載の方法。
【請求項９】
前記第１のワイヤレスデバイスに関する第１のチャネル利得と前記第２のワイヤレスデバイスに関する第２のチャネル利得とを決定することと、
前記第１のチャネル利得と前記第２のチャネル利得とに基づいて部分空間を決定することと、をさらに備え、
ここにおいて、前記空間が前記部分空間であり、前記部分空間が、信号対干渉プラス雑音比（ＳＩＮＲ）を増加させるように構成された、請求項７に記載の方法。
【請求項１０】
前記部分空間がＨ*（ｐ×ｇｇH＋σ2Ｉ）-1として定義され、
ただし、Ｈは前記第１のチャネル利得であり、ｐは前記干渉信号の電力であり、ｇは前記第２のチャネル利得であり、ｇHはｇのエルミート共役であり、Ｉは単位行列であり、σ2は受信機における雑音の分散である、請求項９に記載の方法。
【請求項１１】
前記受信された第１の信号が、前記第１のワイヤレスデバイスのアンテナの異なるセットから受信された複数の信号を備え、前記方法が、前記受信された複数の信号に基づいて前記行列を構成することをさらに備える、請求項７に記載の方法。
【請求項１２】
全二重モードで動作している第１のワイヤレスデバイスから意図された信号を受信するための手段と、
前記第１のワイヤレスデバイスと通信している第２のワイヤレスデバイスから干渉信号を受信するための手段と、
前記受信された意図された信号の行列を前記干渉信号に関連する空間上に射影することによって、前記干渉信号によって引き起こされる前記受信された意図された信号の干渉を低減するための手段と、
を備えるワイヤレス通信のための装置。
【請求項１３】
前記第２のワイヤレスデバイスに関するチャネル利得を決定するための手段と、
前記チャネル利得に基づいて零空間を決定するための手段とをさらに備え、
ここにおいて、前記空間が前記零空間である、請求項１２に記載の装置。
【請求項１４】
前記第１のワイヤレスデバイスに関する第１のチャネル利得と、前記第２のワイヤレスデバイスに関する第２のチャネル利得とを決定するための手段と、
前記第１のチャネル利得と前記第２のチャネル利得とに基づいて部分空間を決定するための手段と、をさらに備え、
ここにおいて、前記空間が前記部分空間であり、前記部分空間が、信号対干渉プラス雑音比（ＳＩＮＲ）を増加させるように構成された、請求項１２に記載の装置。
【請求項１５】
前記部分空間がＨ*（ｐ×ｇｇH＋σ2Ｉ）-1として定義され、
ただし、Ｈは前記第１のチャネル利得であり、ｐは前記干渉信号の電力であり、ｇは前記第２のチャネル利得であり、ｇHはｇのエルミート共役であり、Ｉは単位行列であり、σ2は受信機における雑音の分散である、請求項１４に記載の装置。
【請求項１６】
前記干渉信号が、前記受信された意図された信号と同時に受信され、ここにおいて、前記干渉信号と前記受信された意図された信号とが同じキャリア周波数上で受信される、請求項１２に記載の装置。
【請求項１７】
前記受信された意図された信号が、前記第１のワイヤレスデバイスのアンテナの異なるセットから受信された複数の信号を備え、前記装置が、前記受信された複数の信号に基づいて前記行列を構成するための手段をさらに備える、請求項１２に記載の装置。
【請求項１８】
全二重モードで動作している第１のワイヤレスデバイスから第１の信号を受信するための手段と、
前記第１のワイヤレスデバイスに第２の信号を通信している第２のワイヤレスデバイスから前記第２の信号を受信するための手段と、前記第１のワイヤレスデバイスが、同じキャリア周波数上で前記第１の信号を送信するのと同時に前記第２の信号を受信し、前記第２の信号が、前記同じキャリア周波数上の前記第１の信号と同時に受信され、前記第２の信号が干渉信号である、
前記受信された信号の行列を前記干渉信号に関連する空間上に射影することによって、前記干渉信号によって引き起こされる前記受信された第１の信号の干渉を低減するための手段と、
を備えるワイヤレス通信のための装置。
【請求項１９】
前記第２のワイヤレスデバイスに関するチャネル利得を決定するための手段と、
前記チャネル利得に基づいて零空間を決定するための手段と、をさらに備え、
ここにおいて、前記空間が前記零空間である、請求項１８に記載の装置。
【請求項２０】
前記第１のワイヤレスデバイスに関する第１のチャネル利得と前記第２のワイヤレスデバイスに関する第２のチャネル利得とを決定するための手段と、
前記第１のチャネル利得と前記第２のチャネル利得とに基づいて部分空間を決定するための手段と、をさらに備え、
ここにおいて、前記空間が前記部分空間であり、前記部分空間が、信号対干渉プラス雑音比（ＳＩＮＲ）を増加させるように構成された、請求項１８に記載の装置。
【請求項２１】
前記部分空間がＨ*（ｐ×ｇｇH＋σ2Ｉ）-1として定義され、
ただし、Ｈは前記第１のチャネル利得であり、ｐは前記干渉信号の電力であり、ｇは前記第２のチャネル利得であり、ｇHはｇのエルミート共役であり、Ｉは単位行列であり、σ2は受信機における雑音の分散である、請求項２０に記載の装置。
【請求項２２】
前記受信された第１の信号が、前記第１のワイヤレスデバイスのアンテナの異なるセットから受信された複数の信号を備え、前記装置が、前記受信された複数の信号に基づいて前記行列を構成するための手段をさらに備える、請求項１８に記載の装置。
【請求項２３】
全二重モードで動作している第１のワイヤレスデバイスから意図された信号を受信することと、
前記第１のワイヤレスデバイスと通信している第２のワイヤレスデバイスから干渉信号を受信することと、
を行うように構成された受信モジュールと、
前記受信された意図された信号の行列を前記干渉信号に関連する空間上に射影することによって、前記干渉信号によって引き起こされる前記受信された意図された信号の干渉を低減するように構成された干渉低減モジュールと、
を備えるワイヤレス通信のための装置。
【請求項２４】
前記第２のワイヤレスデバイスに関するチャネル利得を決定することと、
前記チャネル利得に基づいて零空間を決定することと、
を行うように構成された決定モジュールをさらに備え、
ここにおいて、前記空間が前記零空間である、請求項２３に記載の装置。
【請求項２５】
前記第１のワイヤレスデバイスに関する第１のチャネル利得と、前記第２のワイヤレスデバイスに関する第２のチャネル利得とを決定することと、
前記第１のチャネル利得と前記第２のチャネル利得とに基づいて部分空間を決定することと、
を行うように構成された決定モジュールをさらに備え、
ここにおいて、前記空間が前記部分空間であり、前記部分空間が、信号対干渉プラス雑音比（ＳＩＮＲ）を増加させるように構成された、請求項２３に記載の装置。
【請求項２６】
前記部分空間がＨ*（ｐ×ｇｇH＋σ2Ｉ）-1として定義され、
ただし、Ｈは前記第１のチャネル利得であり、ｐは前記干渉信号の電力であり、ｇは前記第２のチャネル利得であり、ｇHはｇのエルミート共役であり、Ｉは単位行列であり、σ2は受信機における雑音の分散である、請求項２５に記載の装置。
【請求項２７】
前記干渉信号が、前記受信された意図された信号と同時に受信され、ここにおいて、前記干渉信号と前記受信された意図された信号とが同じキャリア周波数上で受信される、請求項２３に記載の装置。
【請求項２８】
前記受信された意図された信号が、前記第１のワイヤレスデバイスのアンテナの異なるセットから受信された複数の信号を備え、前記装置が、前記受信された複数の信号に基づいて前記行列を構成するように構成された行列構成モジュールをさらに備える、請求項２３に記載の装置。
【請求項２９】
全二重モードで動作している第１のワイヤレスデバイスから第１の信号を受信することと、
前記第１のワイヤレスデバイスに第２の信号を通信している第２のワイヤレスデバイスから前記第２の信号を受信することと、前記第１のワイヤレスデバイスが、同じキャリア周波数上で前記第１の信号を送信するのと同時に前記第２の信号を受信し、前記第２の信号が、前記同じキャリア周波数上の前記第１の信号と同時に受信され、前記第２の信号が干渉信号である、
を行うように構成された決定モジュールと、
前記受信された信号の行列を前記干渉信号に関連する空間上に射影することによって、前記干渉信号によって引き起こされる前記受信された第１の信号の干渉を低減するように構成された干渉低減モジュールと、
を備えるワイヤレス通信のための装置。
【請求項３０】
前記第２のワイヤレスデバイスに関するチャネル利得を決定することと、
前記チャネル利得に基づいて零空間を決定することと、
を行うように構成された決定モジュールをさらに備え、
ここにおいて、前記空間が前記零空間である、請求項２９に記載の装置。
【請求項３１】
前記第１のワイヤレスデバイスに関する第１のチャネル利得と、前記第２のワイヤレスデバイスに関する第２のチャネル利得とを決定することと、
前記第１のチャネル利得と前記第２のチャネル利得とに基づいて部分空間を決定することと、
を行うように構成された決定モジュールをさらに備え、
ここにおいて、前記空間が前記部分空間であり、前記部分空間が、信号対干渉プラス雑音比（ＳＩＮＲ）を増加させるように構成された、請求項２９に記載の装置。
【請求項３２】
前記部分空間がＨ*（ｐ×ｇｇH＋σ2Ｉ）-1として定義され、
ただし、Ｈは前記第１のチャネル利得であり、ｐは前記干渉信号の電力であり、ｇは前記第２のチャネル利得であり、ｇHはｇのエルミート共役であり、Ｉは単位行列であり、σ2は受信機における雑音の分散である、請求項３１に記載の装置。
【請求項３３】
前記受信された第１の信号が、前記第１のワイヤレスデバイスのアンテナの異なるセットから受信された複数の信号を備え、前記装置が、前記受信された複数の信号に基づいて前記行列を構成するように構成された行列構成モジュールをさらに備える、請求項２９に記載の装置。
【請求項３４】
全二重モードで動作している第１のワイヤレスデバイスから意図された信号を受信することと、
前記第１のワイヤレスデバイスと通信している第２のワイヤレスデバイスから干渉信号を受信することと、
前記受信された意図された信号の行列を前記干渉信号に関連する空間上に射影することによって、前記干渉信号によって引き起こされる前記受信された意図された信号の干渉を低減することと、
を行うためのコードを備えるコンピュータ可読媒体
を備える、コンピュータプログラム製品。
【請求項３５】
前記コンピュータ可読媒体が、
前記第２のワイヤレスデバイスに関するチャネル利得を決定することと、
前記チャネル利得に基づいて零空間を決定することと、
を行うためのコードをさらに備え、
ここにおいて、前記空間が前記零空間である、請求項３４に記載のコンピュータプログラム製品。
【請求項３６】
前記コンピュータ可読媒体が、
前記第１のワイヤレスデバイスに関する第１のチャネル利得と、前記第２のワイヤレスデバイスに関する第２のチャネル利得とを決定することと、
前記第１のチャネル利得と前記第２のチャネル利得とに基づいて部分空間を決定することと、
を行うためのコードをさらに備え、
ここにおいて、前記空間が前記部分空間であり、前記部分空間が、信号対干渉プラス雑音比（ＳＩＮＲ）を増加させるように構成された、請求項３４に記載のコンピュータプログラム製品。
【請求項３７】
前記部分空間がＨ*（ｐ×ｇｇH＋σ2Ｉ）-1として定義され、
ただし、Ｈは前記第１のチャネル利得であり、ｐは前記干渉信号の電力であり、ｇは前記第２のチャネル利得であり、ｇHはｇのエルミート共役であり、Ｉは単位行列であり、σ2は受信機における雑音の分散である、請求項３６に記載のコンピュータプログラム製品。
【請求項３８】
前記干渉信号が、前記受信された意図された信号と同時に受信され、ここにおいて、前記干渉信号と前記受信された意図された信号とが同じキャリア周波数上で受信される、請求項３４に記載のコンピュータプログラム製品。
【請求項３９】
前記受信された意図された信号が、前記第１のワイヤレスデバイスのアンテナの異なるセットから受信された複数の信号を備え、前記コンピュータ可読媒体が、前記受信された複数の信号に基づいて前記行列を構成するためのコードをさらに備える、請求項３４に記載のコンピュータプログラム製品。
【請求項４０】
全二重モードで動作している第１のワイヤレスデバイスから第１の信号を受信することと、
前記第１のワイヤレスデバイスに第２の信号を通信している第２のワイヤレスデバイスから前記第２の信号を受信することと、前記第１のワイヤレスデバイスが、同じキャリア周波数上で前記第１の信号を送信するのと同時に前記第２の信号を受信し、前記第２の信号が、前記同じキャリア周波数上の前記第１の信号と同時に受信され、前記第２の信号が干渉信号である、
前記受信された信号の行列を前記干渉信号に関連する空間上に射影することによって、前記干渉信号により引き起こされる前記受信された第１の信号の干渉を低減することと、
を行うためのコードを備えるコンピュータ可読媒体
を備える、コンピュータプログラム製品。
【請求項４１】
前記コンピュータ可読媒体が、
前記第２のワイヤレスデバイスに関するチャネル利得を決定することと、
前記チャネル利得に基づいて零空間を決定することと、
を行うためのコードをさらに備え、
ここにおいて、前記空間が前記零空間である、請求項４０に記載のコンピュータプログラム製品。
【請求項４２】
前記コンピュータ可読媒体が、
前記第１のワイヤレスデバイスに関する第１のチャネル利得と、前記第２のワイヤレスデバイスに関する第２のチャネル利得とを決定することと、
前記第１のチャネル利得と前記第２のチャネル利得とに基づいて部分空間を決定することと、
を行うためのコードをさらに備え、
ここにおいて、前記空間が前記部分空間であり、前記部分空間が、信号対干渉プラス雑音比（ＳＩＮＲ）を増加させるように構成された、請求項４０に記載のコンピュータプログラム製品。
【請求項４３】
前記部分空間がＨ*（ｐ×ｇｇH＋σ2Ｉ）-1として定義され、
ただし、Ｈは前記第１のチャネル利得であり、ｐは前記干渉信号の電力であり、ｇは前記第２のチャネル利得であり、ｇHはｇのエルミート共役であり、Ｉは単位行列であり、σ2は受信機における雑音の分散である、請求項４２に記載のコンピュータプログラム製品。
【請求項４４】
前記受信された第１の信号が、前記第１のワイヤレスデバイスのアンテナの異なるセットから受信された複数の信号を備え、前記コンピュータ可読媒体が、前記受信された複数の信号に基づいて前記行列を構成するためのコードをさらに備える、請求項４０に記載のコンピュータプログラム製品。
【発明の詳細な説明】
【技術分野】
【０００１】
関連出願の相互参照
[0001]本出願は、その全体が参照により本明細書に明確に組み込まれる、２０１３年２月１３日に出願された「METHOD AND APPARATUS FOR MANAGING IN FULL-DUPLEX COMMUNICATION」と題する米国非仮出願第１３／７６６，０９９号の利益を主張する。
【０００２】
[0002]本開示は、一般に通信システムに関し、より詳細には、全二重（full-duplex）通信における干渉を管理するための方法および装置に関する。
【背景技術】
【０００３】
[0003]ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ：Long Term Evolution）である。ＬＴＥは、第３世代パートナーシッププロジェクト（３ＧＰＰ：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善すること、コストを下げること、サービスを改善すること、新しいスペクトルを利用すること、およびダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することによって、モバイルブロードバンドインターネットアクセスをより良くサポートするように設計されている。しかしながら、モバイルブロードバンドアクセスに対する需要が増大し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]本開示の一態様では、方法、コンピュータプログラム製品、および装置が提供される。本装置は、全二重モードで動作している第１のワイヤレスデバイスから意図された信号を受信し、第１のワイヤレスデバイスと通信している第２のワイヤレスデバイスから干渉信号（interfering signal）を受信し、受信された意図された信号の行列を干渉信号に関連する空間上に射影することによって、干渉信号によって引き起こされる受信された意図された信号の干渉を低減する。
【０００６】
[0006]別の態様では、方法、コンピュータプログラム製品、および装置が提供される。本装置は、全二重モードで動作している第１のワイヤレスデバイスから第１の信号を受信することと、第１のワイヤレスデバイスに第２の信号を通信している第２のワイヤレスデバイスから第２の信号を受信することと、第１のワイヤレスデバイスが、同じキャリア周波数上で第１の信号を送信するのと同時に第２の信号を受信し、第２の信号が、同じキャリア周波数上の第１の信号と同時に受信され、第２の信号が干渉信号である、受信された信号の行列を干渉信号に関連する空間上に射影することによって、干渉信号によって引き起こされる受信された第１の信号の干渉を低減することとを行う。
【図面の簡単な説明】
【０００７】
【図１】[0007]ネットワークアーキテクチャの一例を示す図。
【図２】[0008]アクセスネットワークの一例を示す図。
【図３】[0009]ＬＴＥにおけるＤＬフレーム構造の一例を示す図。
【図４】[0010]ＬＴＥにおけるＵＬフレーム構造の一例を示す図。
【図５】[0011]ユーザプレーンおよび制御プレーンのための無線プロトコルアーキテクチャの一例を示す図。
【図６】[0012]アクセスネットワーク中の発展型ノードＢおよびユーザ機器の一例を示す図。
【図７】[0013]全二重通信を示す図。
【図８】[0014]ワイヤレス通信の方法のフローチャート。
【図９】[0015]ワイヤレス通信の方法のフローチャート。
【図１０】[0016]例示的な装置中の異なるモジュール／手段／構成要素間のデータフローを示す概念データフロー図。
【図１１】[0017]処理システムを採用する装置のためのハードウェア実装形態の一例を示す図。
【発明を実施するための形態】
【０００８】
[0018]添付の図面に関して以下に記載する発明を実施するための形態は、様々な構成を説明するものであり、本明細書で説明する概念が実施され得る構成のみを表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【０００９】
[0019]次に、様々な装置および方法に関して電気通信システムのいくつかの態様を提示する。これらの装置および方法について、以下の発明を実施するための形態において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素がハードウェアとして実装されるかソフトウェアとして実装されるかは、特定の適用例および全体的なシステムに課された設計制約に依存する。
【００１０】
[0020]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１１】
[0021]したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、およびフロッピー（登録商標）ディスク（disk）を含み、ディスク（disk）は、通常、データを磁気的に再生し、ディスク（disc）は、データをレーザで光学的に再生する。上記の組合せもコンピュータ可読媒体の範囲内に含まれるべきである。
【００１２】
[0022]図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のインターネットプロトコル（ＩＰ）サービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示される様々な概念は、回線交換サービスを提供するネットワークに拡張され得る。
【００１３】
[0023]Ｅ−ＵＴＲＡＮは、発展型ノードＢ（ｅＮＢ）１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、バックホール（たとえば、Ｘ２インターフェース）を介して他のｅＮＢ１０８に接続され得る。ｅＮＢ１０６はまた、基地局、ノードＢ、アクセスポイント、トランシーバ基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることがある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１４】
[0024]ｅＮＢ１０６はＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、マルチメディアブロードキャストマルチキャストサービス（ＭＢＭＳ：Multimedia Broadcast Multicast Service）ゲートウェイ１２４と、ブロードキャストマルチキャストサービスセンター（ＢＭ−ＳＣ：Broadcast Multicast Service Center）１２６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８は、ＵＥのＩＰアドレス割振りならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。ＢＭ−ＳＣ１２６は、ＭＢＭＳユーザサービスプロビジョニングおよび配信のための機能を与え得る。ＢＭ−ＳＣ１２６は、コンテンツプロバイダＭＢＭＳ送信のためのエントリポイントとして働き得、ＰＬＭＮ内のＭＢＭＳベアラサービスを許可し、開始するために使用され得、ＭＢＭＳ送信をスケジュールし、配信するために使用され得る。ＭＢＭＳゲートウェイ１２４は、特定のサービスをブロードキャストするマルチキャストブロードキャスト単一周波数ネットワーク（ＭＢＳＦＮ）エリアに属するｅＮＢ（たとえば、１０６、１０８）にＭＢＭＳトラフィックを配信するために使用され得、セッション管理（開始／停止）と、ｅＭＢＭＳ関係の課金情報を収集することとを担当し得る。
【００１５】
[0025]図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ：home eNB））、ピコセル、マイクロセル、またはリモートラジオヘッド（ＲＲＨ：remote radio head）であり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例では集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。
【００１６】
[0026]アクセスネットワーク２００によって採用される変調および多元接続方式は、展開されている特定の電気通信規格に応じて異なり得る。ＬＴＥ適用例では、周波数分割複信（ＦＤＤ：frequency division duplex）と時分割複信（ＴＤＤ：time division duplex）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念はＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、移動局にブロードバンドインターネットアクセスを提供するためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communication）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００１７】
[0027]ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともに（１つまたは複数の）ＵＥ２０６に到着し、これにより、（１つまたは複数の）ＵＥ２０６の各々はそのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、各空間的にプリコーディングされたデータストリームのソースを識別することが可能になる。
【００１８】
[0028]空間多重化は、概して、チャネル状態が良いときに使用される。チャネル状態があまり好ましくないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００１９】
[0029]以下の詳細な説明では、ＤＬ上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散（spread-spectrum）技法である。サブキャリアは正確な周波数で離間される。離間は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２０】
[0030]図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続するサブキャリアを含んでおり、各ＯＦＤＭシンボル中のノーマルサイクリックプレフィックスについて、時間領域中に７個の連続するＯＦＤＭシンボル、または８４個のリソース要素を含んでいる。拡張サイクリックプレフィックスについて、リソースブロックは、時間領域中に６個の連続するＯＦＤＭシンボルを含んでおり、７２個のリソース要素を有する。Ｒ３０２、３０４として示されるリソース要素のいくつかはＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上のみで送信される。各リソース要素によって搬送されるビット数は変調方式に依存する。したがって、ＵＥが受信するリソースブロックが多いほど、また変調方式が高いほど、ＵＥのデータレートは高くなる。
【００２１】
[0031]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション内のリソースブロックは、制御情報を送信するためにＵＥに割り当てられ得る。データセクションは、制御セクション中に含まれないすべてのリソースブロックを含み得る。ＵＬフレーム構造は、データセクション中の連続するサブキャリアのすべてを単一のＵＥに割り当てることを可能にし得る連続サブキャリアを含むデータセクションを生じる。
【００２２】
[0032]ＵＥには、ｅＮＢに制御情報を送信するために、制御セクション中のリソースブロック４１０ａ、４１０ｂが割り当てられ得る。ＵＥには、ｅＮＢにデータを送信するために、データセクション中のリソースブロック４２０ａ、４２０ｂも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数上でホッピングし得る。
【００２３】
[0033]初期システムアクセスを実行し、物理ランダムアクセスチャネル（ＰＲＡＣＨ：physical random access channel）４３０中でＵＬ同期を達成するために、リソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００２４】
[0034]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００２５】
[0035]ユーザプレーンでは、Ｌ２レイヤ５０８は、ネットワーク側のｅＮＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ５０８の上にいくつかの上位レイヤを有し得る。
【００２６】
[0036]ＰＤＣＰサブレイヤ５１４は、異なる無線ベアラと論理チャネルとの間で多重化を行う。ＰＤＣＰサブレイヤ５１４はまた、無線送信オーバーヘッドを低減するために上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよびリアセンブリと、紛失データパケットの再送信と、ハイブリッド自動再送要求（ＨＡＲＱ：hybrid automatic repeat request）による、順が狂った受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り振ることを担当する。ＭＡＣサブレイヤ５１０はまたＨＡＲＱ動作を担当する。
【００２７】
[0037]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（たとえば、無線ベアラ）を取得することと、ｅＮＢとＵＥとの間のＲＲＣシグナリングを使用して下位レイヤを構成することとを担当する。
【００２８】
[0038]図６は、アクセスネットワーク中でＵＥ６５０と通信しているｅＮＢ６１０のブロック図である。ＤＬでは、コアネットワークからの上位レイヤパケットが、コントローラ／プロセッサ６７５に与えられる。コントローラ／プロセッサ６７５はＬ２レイヤの機能を実装する。ＤＬでは、コントローラ／プロセッサ６７５は、様々な優先度メトリックに基づいてヘッダ圧縮と、暗号化と、パケットのセグメンテーションおよび並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００２９】
[0039]送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。次いで、コーディングされた変調されたシンボルは並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルが生成される。ＯＦＤＭストリームは、複数の空間ストリームを生成するために空間的にプリコーディングされる。チャネル推定器６７４からのチャネル推定値は、コーディングおよび変調方式を決定するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられる。各送信機６１８ＴＸは、送信のためにそれぞれの空間ストリームでＲＦキャリアを変調する。
【００３０】
[0040]ＵＥ６５０において、各受信機６５４ＲＸは、それのそれぞれのアンテナ６５２を通して信号を受信する。各受信機６５４ＲＸは、ＲＦキャリア上に変調された情報を復元し、受信機（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと、基準信号とは、ｅＮＢ６１０によって送信される、可能性が最も高い信号コンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いで、コントローラ／プロセッサ６５９に与えられる。
【００３１】
[0041]コントローラ／プロセッサ６５９はＬ２レイヤを実装する。コントローラ／プロセッサは、プログラムコードとデータとを記憶するメモリ６６０に関連付けられ得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離と、パケットリアセンブリと、復号（decipher）と、ヘッダ復元（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００３２】
[0042]ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメンテーションおよび並べ替えと、ｅＮＢ６１０による無線リソース割振りに基づく論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、紛失パケットの再送信、およびｅＮＢ６１０へのシグナリングを担当する。
【００３３】
[0043]ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００３４】
[0044]ＵＬ送信は、ＵＥ６５０における受信機機能に関して説明した方法と同様の方法でｅＮＢ６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００３５】
[0045]コントローラ／プロセッサ６７５はＬ２レイヤを実装する。コントローラ／プロセッサ６７５は、プログラムコードとデータとを記憶するメモリ６７６に関連付けられ得る。メモリ６７６はコンピュータ可読媒体と呼ばれることがある。ＵＬでは、制御／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００３６】
[0046]全二重通信では、（「アクセスポイント」とも呼ばれる）ノードは、同じ時間および周波数リソース上で信号を同時に受信および送信し得る。たとえば、アクセスポイントは、第１のＵＥから信号を受信し、同時に第２のＵＥに信号を送信し得る。アクセスポイントは、第２のＵＥに送信された信号を知っているので、アクセスポイントは、第１のＵＥから受信された信号を復号するために、それの受信機において第２のＵＥに送信されたそのような信号を消去し得る。
【００３７】
[0047]全二重通信はいくつかの利点を与え得る。たとえば、全二重通信はスループットを２倍にし得る。ただし、スループットは、全二重構成における自己干渉が完全に消去され得る場合のみ、２倍になり得る。その上、全二重通信は、全二重ノードが送信すべきデータと受信すべきデータの両方を有する場合、物理レイヤにおいてスループットを最大にし得る。しばしば、データトラフィックの非対称性質により、２つの全二重ノード間でのデータの交換の可能性はめったに発生しないことがある。たとえば、全二重通信を使用するための最適状況は、アクセスポイントが、第１のＵＥからデータを受信し、同時に第２のＵＥにデータを送信すべきときである。
【００３８】
[0048]図７は、全二重通信を示す図７００である。図７は、アクセスポイント（ＡＰ）７０２と、ＵＥ１  ７０４と、ＵＥ２  ７０６とを含む。図７に示されているように、ＡＰ７０２は、ＵＥ１  ７０４からアップリンクデータ信号７０８を受信し、同時にＵＥ２  ７０６にダウンリンクデータ信号７１０を送信する。図７の構成では、アップリンクデータ信号７０８とダウンリンクデータ信号７１０とは同じチャネル（たとえば、同じキャリア周波数）を使用して送信される。全二重通信は、アップリンクデータ信号７０８とダウンリンクデータ信号７１０の両方上のトラフィックが同時にサポートされ得る場合、有益であり得る。
【００３９】
[0049]全二重動作モードでの同時アップリンクおよびダウンリンク送信をサポートする際の課題のうちの１つは、アップリンク信号の送信（たとえば、ＵＥ１  ７０４によって送信されるアップリンクデータ信号７０８）に起因するダウンリンク受信機における干渉（たとえば、ＵＥ２  ７０６において受信される干渉信号７１２）である。図７に示されているように、ＡＰ７０２、ＵＥ１  ７０４、およびＵＥ２  ７０６はすべてワイヤレスデバイスであるので、ＵＥ１  ７０４からＡＰ７０２へのアップリンクデータ信号７０８はＵＥ２  ７０６において干渉（たとえば、干渉信号７１２）を生じる。しばしば、ＵＥ２  ７０６の受信機における干渉の強度がＵＥ２  ７０６における受信機雑音よりも著しく大きいことがある。したがって、ダウンリンクデータレートが干渉の量によって制限され得る。自己干渉とは異なり、ＵＥ２  ７０６における干渉は、ＵＥ２  ７０６に知られていない信号（たとえば、アップリンクデータ信号７０８から生じる干渉信号７１２）に起因する。したがって、ＵＥ２  ７０６の受信機における干渉を管理することが適切な全二重動作モードのために重要であり得る。以下で説明するように、干渉信号７１２によって引き起こされるＵＥ２  ７０６によって受信されたダウンリンクデータ信号７１０の干渉は、受信されたダウンリンクデータ信号７１０の行列を干渉信号７１２に関連する空間上に射影することによって低減され得る。
【００４０】
[0050]ＵＥ７０４および７０６は、送信を受信しおよび送るための複数のアンテナを含み得る。たとえば、ＵＥ１  ７０４はｎ個の送信アンテナを有し得、ＵＥ２  ７０６はｍ個の受信アンテナを有し得る。ＡＰ７０２は、ｒ個の送信／受信アンテナとともに全二重通信を使用して送信および受信し得る。ＵＥ１  ７０４とＡＰ７０２との間のチャネルの最大ランクはｍｉｎ（ｎ，ｒ）であるので、ＵＥ１  ７０４は、ｍｉｎ（ｎ，ｒ）個の独立ストリームを送信し、依然として最大多重化利得を達成することができる。ＡＰ７０２は、ダウンリンクにおいてデータのｍｉｎ（ｒ，ｍ）個の独立ストリームのみを送信する必要がある。ダウンリンク受信機（すなわち、ＵＥ２  ７０６）は、受信するためのｍ個のアンテナを有し、したがって、ダウンリンク受信機はｍ自由度（degree of freedom）を有する。
【００４１】
[0051]一態様では、ＵＥ２  ７０６は、干渉信号７１２の一部をヌリングすることによって、干渉信号７１２によって引き起こされる受信されたダウンリンクデータ信号７１０に対する干渉を管理し得る。そのようなヌリングは、干渉信号７１２によって占有される総自由度がｍよりも小さい場合に達成され得る。これは、ｍｉｎ（ｎ，ｒ）＜ｍであることに起因し得る。干渉信号７１２がｍよりも小さい自由度を有する別の理由は、ＵＥ１  ７０４とＵＥ２  ７０６との間のチャネルがフルランクでないことである。したがって、一構成では、ＵＥ２  ７０６は、受信されたダウンリンクデータ信号７１０を干渉信号７１２の直交空間上に射影することによって、干渉信号７１２によって引き起こされる干渉をヌリングし得る。
【００４２】
[0052]たとえば、図７を参照すると、ＵＥ１  ７０４はｎ個の送信アンテナを有し得、ＵＥ２  ７０６はｎ個の受信アンテナを有し得、ＡＰ７０２は単一の全二重アンテナを有し得る。ＵＥ２  ７０６は、それの意図された送信機（すなわち、ＡＰ７０２）とそれ自体（すなわち、ＵＥ２  ７０６）との間のチャネル利得の推定値を決定することによって、干渉信号７１２によって引き起こされる受信されたダウンリンクデータ信号７１０に対する干渉を低減し得る。そのようなチャネル利得は行列Ｈによって表され得る。ＵＥ２  ７０６はまた、アップリンク送信機（すなわち、ＵＥ１  ７０４）とそれ自体（すなわち、ＵＥ２  ７０６）との間のチャネル利得の推定値を決定し得る。そのようなチャネル利得は行列Ｇによって表され得る。一態様では、ＵＥ２  ７０６は、送信機ＵＥ１  ７０４およびＡＰ７０２の各々によって送信された１つまたは複数のトレーニング信号をリッスンすることによってチャネル利得ＨおよびＧを推定し得る。
【００４３】
[0053]ＵＥ２  ７０６はダウンリンクデータ信号７１０と干渉信号７１２とを同時に受信するので、ＵＥ２  ７０６によって検出された信号は、ダウンリンクデータ信号７１０と干渉信号７１２と雑音との組合せであると見なされ得る。ＵＥ２  ７０６によって受信されたそのような信号はベクトルｙによって表され得る。たとえば、ｌは長さｎの列ベクトルを表し得、ｇは行列Ｇとベクトルｌとの積を表し得る（すなわち、ｇ＝Ｇ＊ｌ）。ＵＥ２  ７０６によって受信された信号ｙが、ｇに直交する部分空間（sub-space）（すなわち、零空間（nullspace））上に射影された場合、干渉信号７１２によって引き起こされるダウンリンクデータ信号７１０に対する干渉はヌリングされ得る。
【００４４】
[0054]たとえば、ＵＥ１  ７０４は２つのアンテナを有し得、ＵＥ２  ７０６は２つのアンテナを有し得、ＡＰ７０２は１つのアンテナを有し得る。ダウンリンクデータ信号７１０はｘによって表され得、アップリンクデータ信号７０８はｗによって表され得、雑音はｚによって表され得る。したがって、Ｈ、Ｇ、ｗ、およびｚは以下のように定義され得る。
【数１】
2016511986.tif 000003
【００４５】
上式で、ｓ1＝ｓ2＝ｓである。本例では、ＵＥ２  ７０６が２つの受信アンテナを有し、ＡＰ７０２が１つの送信アンテナを有するので、Ｈは２の長さを有する。行列Ｈの要素ｈ1は、ＡＰ７０２の単一のアンテナとＵＥ２  ７０６の第１のアンテナとの間のチャネル利得を表し、行列Ｈの要素ｈ2は、ＡＰ７０２の単一のアンテナとＵＥ２  ７０６の第２のアンテナとの間のチャネル利得を表す。行列Ｇの要素ｇ11はＵＥ１  ７０４の第１のアンテナとＵＥ２  ７０６の第１のアンテナとの間のチャネル利得を表し、行列Ｇの要素ｇ12はＵＥ１  ７０４の第１のアンテナとＵＥ２  ７０６の第２のアンテナとの間のチャネル利得を表し、行列Ｇの要素ｇ21はＵＥ１  ７０４の第２のアンテナとＵＥ２  ７０６の第１のアンテナとの間のチャネル利得を表し、行列Ｇの要素ｇ22はＵＥ１  ７０４の第２のアンテナとＵＥ２  ７０６の第２のアンテナとの間のチャネル利得を表す。行列ｗの要素ｓ1は、ＵＥ１  ７０４の第１のアンテナによって送信された信号を表し、行列ｗの要素ｓ2は、ＵＥ１  ７０４の第２のアンテナによって送信された信号を表す。行列ｚの要素ｚ1は、ＵＥ２  ７０６の第１のアンテナにおける雑音を表し、行列ｚの要素ｚ2は、ＵＥ２  ７０６の第２のアンテナにおける雑音を表す。ＵＥ２  ７０６において受信された信号ｙは以下のように表され得る。
【数２】
2016511986.tif 000004
【００４６】
したがって、ｙ＝Ｈｘ＋ｇｓ＋ｚであり、ただし、
【数３】
2016511986.tif 000005
【００４７】
である。したがって、受信された信号ｙにおける干渉をヌリングするために、ＵＥ２  ７０６は、式（１）に示されているように、ｙにｇ*を乗算し得、ただし、ｇ*＝［−ｇ2  ｇ1］である。
【数４】
2016511986.tif 000006
【００４８】
[0055]別の態様では、ＵＥ２  ７０６は、ダウンリンクデータ信号７１０の信号対干渉プラス雑音比（ＳＩＮＲ：signal to interference-plus-noise ratio）を最大にするために干渉を抑圧することによって、干渉信号７１２によって引き起こされる受信されたダウンリンクデータ信号７１０に対する干渉を管理し得る。そのような態様では、ＵＥ２  ７０６によって受信された信号がその上に射影され得る適切な空間を決定するために、最小平均２乗誤差（ＭＭＳＥ：minimum mean-squared error）ソリューションが使用され得る。
【００４９】
[0056]たとえば、ＵＥ２  ７０６は、それの意図された送信機（たとえば、ＡＰ７０２）とそれ自体（たとえば、ＵＥ２  ７０６）との間のチャネル利得の推定値を決定し得る。前に説明したように、そのようなチャネル利得は行列Ｈとして表され得る。ＵＥ２  ７０６はまた、アップリンク送信機（たとえば、ＵＥ１  ７０４）とそれ自体（たとえば、ＵＥ２  ７０６）との間のチャネル利得の推定値を決定し得る。前に説明したように、そのようなチャネル利得は行列Ｇによって表され得る。一態様では、ＵＥ２  ７０６は、送信機ＵＥ１  ７０４およびＡＰ７０２の各々によって送信された１つまたは複数のトレーニング信号をリッスンすることによってチャネル利得ＨおよびＧを推定し得る。全二重通信中に、ＵＥ２  ７０６はダウンリンクデータ信号７１０と干渉信号７１２とを同時に受信するので、ＵＥ２  ７０６によって検出された信号は、ダウンリンクデータ信号７１０と干渉信号７１２と雑音との組合せであると見なされ得る。ＵＥ２  ７０６によって受信されたそのような信号はベクトルｙによって表され得る。ダウンリンクデータ信号７１０のＳＩＮＲを最大にするためにｙがその上に射影され得る空間は、射影ベクトル（projection vector）Ｈ*（ｐ×ｇｇH＋σ2Ｉ）-1によって与えられ、ただし、σ2は受信機における雑音の分散であり、Ｉは単位行列（identity matrix）であり、ｐは干渉信号の電力であり、ｇHはｇのエルミート共役（Hermite conjugate）である。たとえば、ｇは行列Ｇとベクトル１との積を表し得（すなわち、ｇ＝Ｇ＊１）、ただし、ベクトル１は長さｎの列ベクトルを表し得る。
【００５０】
[0057]前に説明したように、ＵＥ２  ７０６によって受信された信号ｙはｙ＝Ｈｘ＋ｇｓ＋ｚとして表され得る。項ｇｓ＋ｚは、分散行列ｐ×ｇｇH＋σ2Ｉをもつ雑音として扱われ得る。したがって、信号ｙは、ダウンリンクデータ信号７１０のＳＩＮＲを最大にするＭＭＳＥ推定量を決定するために、Ｈ*（ｐ×ｇｇH＋σ2Ｉ）-1を乗算され得る。
【００５１】
[0058]図８は、ワイヤレス通信の方法のフローチャート８００である。本方法はＵＥによって実行され得る。ステップ８０２において、ＵＥは、全二重モードで動作している第１のワイヤレスデバイスから意図された信号を受信する。たとえば、図７を参照すると、ＵＥ２  ７０６はＡＰ７０２からダウンリンクデータ信号７１０を受信し得る。受信された意図された信号（たとえば、ダウンリンクデータ信号７１０）は、第１のワイヤレスデバイスのアンテナの異なるセットから受信された２つまたはそれ以上の信号を含み得る。
【００５２】
[0059]ステップ８０４において、ＵＥは、第１のワイヤレスデバイスと通信している第２のワイヤレスデバイスから干渉信号を受信する。干渉信号は、受信された意図された信号と同時に受信され得る。干渉信号と受信された意図された信号とは同じキャリア周波数上で受信され得る。たとえば、図７を参照すると、ＵＥ２  ７０６は、ＡＰ７０２からダウンリンクデータ信号７１０を受信しながら、同時にＵＥ１  ７０４から干渉信号７１２を受信し得る。そのような例では、干渉信号７１２とダウンリンクデータ信号７１０とは同じキャリア周波数上で受信され得る。一構成では、干渉信号７１２はアップリンクデータ信号７０８と同じ信号であり得る。
【００５３】
[0060]ステップ８０６において、ＵＥは、２つまたはそれ以上の受信された信号に基づいて行列を構成する。たとえば、図７を参照すると、ダウンリンクデータ信号７１０は、ＡＰ７０２のアンテナの異なるセットから受信された２つまたはそれ以上の信号であり得る。ＵＥ２  ７０６はダウンリンクデータ信号７１０と干渉信号７１２とを同時に受信するので、ＵＥ２  ７０６によって検出された信号は、ダウンリンクデータ信号７１０と干渉信号７１２と雑音との組合せであると見なされ得ることに留意されたい。ＵＥ２  ７０６によって受信されたそのような信号はベクトルｙによって表され得る。
【００５４】
[0061]ステップ８０８において、ＵＥは、第２のワイヤレスデバイスに関するチャネル利得を決定する。たとえば、図７を参照すると、ＵＥ２  ７０６は、ＵＥ１  ７０４とそれ自体（たとえば、ＵＥ２  ７０６）との間のチャネル利得の推定値を決定し得る。そのようなチャネル利得は行列Ｇによって表され得る。たとえば、行列Ｇは
【数５】
2016511986.tif 000007
【００５５】
として定義され得る。一態様では、ＵＥ２  ７０６は、ＵＥ１  ７０４によって送信された１つまたは複数のトレーニング信号をリッスンすることによってチャネル利得Ｇを推定し得る。
【００５６】
[0062]ステップ８１０において、ＵＥは、チャネル利得に基づいて零空間を決定する。たとえば、ＵＥ２  ７０６がｎ個の受信アンテナを有する場合、ｌは長さｎの列ベクトルを表し得、ｇは行列Ｇとベクトルｌとの積を表し得る（すなわち、ｇ＝Ｇ＊ｌ）。たとえば、ｇは
【数６】
2016511986.tif 000008
【００５７】
として定義され得る。零空間は、ｇに直交する行列ｇ*であり得る。たとえば、行列ｇ*はｇ*＝［−ｇ2  ｇ1］として定義され得る。
【００５８】
[0063]ステップ８１２において、ＵＥは、第１のワイヤレスデバイスに関する第１のチャネル利得と、第２のワイヤレスデバイスに関する第２のチャネル利得とを決定する。たとえば、図７を参照すると、ＵＥ１  ７０４はｎ個の送信アンテナを有し得、ＵＥ２  ７０６はｎ個の受信アンテナを有し得、ＡＰ７０２は単一の全二重アンテナを有し得る。ＵＥ２  ７０６は、それの意図された送信機（すなわち、ＡＰ７０２）とそれ自体（すなわち、ＵＥ２  ７０６）との間のチャネル利得の推定値を決定し得る。そのようなチャネル利得は行列Ｈによって表され得る。ＵＥ２  ７０６はまた、アップリンク送信機（すなわち、ＵＥ１  ７０４）とそれ自体（すなわち、ＵＥ２  ７０６）との間のチャネル利得の推定値を決定し得る。そのようなチャネル利得は行列Ｇによって表され得る。一態様では、ＵＥ２  ７０６は、送信機ＵＥ１  ７０４およびＡＰ７０２の各々によって送信された１つまたは複数のトレーニング信号をリッスンすることによってチャネル利得ＨおよびＧを推定し得る。たとえば、行列Ｈは
【数７】
2016511986.tif 000009
【００５９】
として定義され得、行列Ｇは
【数８】
2016511986.tif 000010
【００６０】
として定義され得る。
【００６１】
[0064]ステップ８１４において、ＵＥは、第１のチャネル利得と第２のチャネル利得とに基づいて部分空間を決定する。部分空間はＨ*（ｐ×ｇｇH＋σ2Ｉ）-1として定義され得、ただし、Ｈは第１のチャネル利得であり、ｐは干渉信号の電力であり、ｇは第２のチャネル利得であり、ｇHはｇのエルミート共役であり、Ｉは単位行列であり、σ2は受信機における雑音の分散である。たとえば、ＵＥ２  ７０６がｎ個の受信アンテナを有する場合、ｌは長さｎの列ベクトルを表し得、ｇは行列Ｇとベクトルｌとの積を表し得る（すなわち、ｇ＝Ｇ＊ｌ）。たとえば、ｇは
【数９】
2016511986.tif 000011
【００６２】
として定義され得る。
【００６３】
[0065]ステップ８１６において、ＵＥは、受信された意図された信号の行列を干渉信号に関連する空間上に射影することによって、干渉信号によって引き起こされる受信された意図された信号の干渉を低減する。一態様では、空間は零空間であり得る。そのような態様では、受信された信号ｙにおける干渉をヌリングするために、ＵＥ２  ７０６は、式（１）に示されているように、ｙにｇ*を乗算し得、ただし、ｇ*＝［−ｇ2  ｇ1］である。別の態様では、空間は部分空間であり得、部分空間は、信号対干渉プラス雑音比（ＳＩＮＲ）を増加させるように構成される。そのような態様では、ＵＥ２  ７０６によって受信された信号ｙはｙ＝Ｈｘ＋ｇｓ＋ｚとして表され得る。項ｇｓ＋ｚは、分散行列ｐ×ｇｇH＋σ2Ｉをもつ雑音として扱われ得る。したがって、信号ｙは、ダウンリンクデータ信号７１０のＳＩＮＲを最大にするＭＭＳＥ推定量を決定するために、Ｈ*（ｐ×ｇｇH＋σ2Ｉ）-1を乗算され得る。
【００６４】
[0066]図９は、ワイヤレス通信の方法のフローチャート９００である。本方法はＵＥによって実行され得る。ステップ９０２において、ＵＥは、全二重モードで動作している第１のワイヤレスデバイスから第１の信号を受信する。たとえば、図７を参照すると、ＵＥ２  ７０６はＡＰ７０２からダウンリンクデータ信号７１０を受信し得る。受信された第１の信号は、第１のワイヤレスデバイスのアンテナの異なるセットから受信された２つまたはそれ以上の信号を含み得る。
【００６５】
[0067]ステップ９０４において、ＵＥは、第１のワイヤレスデバイスに第２の信号を通信している第２のワイヤレスデバイスから第２の信号を受信する。たとえば、図７を参照すると、ＵＥ２  ７０６は、ＡＰ７０２にアップリンクデータ信号７０８を通信しているＵＥ１  ７０４からアップリンクデータ信号７０８を受信し得る。第１のワイヤレスデバイスは、同じキャリア周波数上で第１の信号を送信するのと同時に第２の信号を受信し得る。たとえば、図７を参照すると、ＡＰ７０２は、同じキャリア周波数上でダウンリンクデータ信号７１０を送信するのと同時にアップリンクデータ信号７０８を受信し得る。第２の信号は、干渉信号であり得、同じキャリア周波数上の第１の信号と同時に受信され得る。たとえば、アップリンクデータ信号７０８は干渉信号７１２としてＵＥ２  ７０６によって受信され得、ここで、干渉信号７１２は、同じキャリア周波数上のダウンリンクデータ信号７１０と同時に受信される。
【００６６】
[0068]ステップ９０６において、ＵＥは、２つまたはそれ以上の受信された信号に基づいて行列を構成する。たとえば、図７を参照すると、ダウンリンクデータ信号７１０は、ＡＰ７０２のアンテナの異なるセットから受信された２つまたはそれ以上の信号であり得る。ＵＥ２  ７０６はダウンリンクデータ信号７１０と干渉信号７１２とを同時に受信するので、ＵＥ２  ７０６によって検出された信号は、ダウンリンクデータ信号７１０と干渉信号７１２と雑音との組合せであると見なされ得ることに留意されたい。ＵＥ２  ７０６によって受信されたそのような信号はベクトルｙによって表され得る。
【００６７】
[0069]ステップ９０８において、ＵＥは、第２のワイヤレスデバイスに関するチャネル利得を決定する。たとえば、図７を参照すると、ＵＥ２  ７０６は、ＵＥ１  ７０４とそれ自体（たとえば、ＵＥ２  ７０６）との間のチャネル利得の推定値を決定し得る。そのようなチャネル利得は行列Ｇによって表され得る。たとえば、行列Ｇは
【数１０】
2016511986.tif 000012
【００６８】
として定義され得る。一態様では、ＵＥ２  ７０６は、ＵＥ１  ７０４によって送信された１つまたは複数のトレーニング信号をリッスンすることによってチャネル利得Ｇを推定し得る。
【００６９】
[0070]ステップ９１０において、ＵＥは、チャネル利得に基づいて零空間を決定する。たとえば、ＵＥ２  ７０６がｎ個の受信アンテナを有する場合、ｌは長さｎの列ベクトルを表し得、ｇは行列Ｇとベクトルｌとの積を表し得る（すなわち、ｇ＝Ｇ＊ｌ）。たとえば、ｇは
【数１１】
2016511986.tif 000013
【００７０】
として定義され得る。零空間は、ｇに直交する行列ｇ*であり得る。たとえば、行列ｇ*はｇ*＝［−ｇ2  ｇ1］として定義され得る。
【００７１】
[0071]ステップ９１２において、ＵＥは、第１のワイヤレスデバイスに関する第１のチャネル利得と、第２のワイヤレスデバイスに関する第２のチャネル利得とを決定する。たとえば、図７を参照すると、ＵＥ１  ７０４はｎ個の送信アンテナを有し得、ＵＥ２  ７０６はｎ個の受信アンテナを有し得、ＡＰ７０２は単一の全二重アンテナを有し得る。ＵＥ２  ７０６は、それの意図された送信機（すなわち、ＡＰ７０２）とそれ自体（すなわち、ＵＥ２  ７０６）との間のチャネル利得の推定値を決定し得る。そのようなチャネル利得は行列Ｈによって表され得る。ＵＥ２  ７０６はまた、アップリンク送信機（すなわち、ＵＥ１  ７０４）とそれ自体（すなわち、ＵＥ２  ７０６）との間のチャネル利得の推定値を決定し得る。そのようなチャネル利得は行列Ｇによって表され得る。一態様では、ＵＥ２  ７０６は、送信機ＵＥ１  ７０４およびＡＰ７０２の各々によって送信された１つまたは複数のトレーニング信号をリッスンすることによってチャネル利得ＨおよびＧを推定し得る。たとえば、行列Ｈは
【数１２】
2016511986.tif 000014
【００７２】
として定義され得、行列Ｇは
【数１３】
2016511986.tif 000015
【００７３】
として定義され得る。
【００７４】
[0072]ステップ９１４において、ＵＥは、第１のチャネル利得と第２のチャネル利得とに基づいて部分空間を決定する。部分空間はＨ*（ｐ×ｇｇH＋σ2Ｉ）-1として定義され得、ただし、Ｈは第１のチャネル利得であり、ｐは干渉信号の電力であり、ｇは第２のチャネル利得であり、ｇHはｇのエルミート共役であり、Ｉは単位行列であり、σ2は受信機における雑音の分散である。たとえば、ＵＥ２  ７０６がｎ個の受信アンテナを有する場合、ｌは長さｎの列ベクトルを表し得、ｇは行列Ｇとベクトルｌとの積を表し得る（すなわち、ｇ＝Ｇ＊ｌ）。たとえば、ｇは
【数１４】
2016511986.tif 000016
【００７５】
として定義され得る。
【００７６】
[0073]ステップ９１６において、ＵＥは、受信された信号の行列を干渉信号に関連する空間上に射影することによって、干渉信号によって引き起こされる受信された第１の信号の干渉を低減する。一態様では、空間は零空間であり得る。そのような態様では、受信された信号ｙにおける干渉をヌリングするために、ＵＥ２  ７０６は、式（１）に示されているように、ｙにｇ*を乗算し得、ただし、ｇ*＝［−ｇ2  ｇ1］である。別の態様では、空間は部分空間であり得、部分空間は、信号対干渉プラス雑音比（ＳＩＮＲ）を増加させるように構成される。そのような態様では、ＵＥ２  ７０６によって受信された信号ｙはｙ＝Ｈｘ＋ｇｓ＋ｚとして表され得る。項ｇｓ＋ｚは、分散行列ｐ×ｇｇH＋σ2Ｉをもつ雑音として扱われ得る。したがって、信号ｙは、ダウンリンクデータ信号７１０のＳＩＮＲを最大にするＭＭＳＥ推定量を決定するために、Ｈ*（ｐ×ｇｇH＋σ2Ｉ）-1を乗算され得る。
【００７７】
[0074]図１０は、例示的な装置１００２中の異なるモジュール／手段／構成要素間のデータフローを示す概念データフロー図１０００である。本装置はＵＥであり得る。
【００７８】
[0075]本装置は受信モジュール１００４を含む。一態様では、受信モジュール１００４は、全二重モードで動作している第１のワイヤレスデバイス（たとえば、ＡＰ１０１２）から意図された信号（たとえば、ダウンリンクデータ信号１０１８）を受信し、第１のワイヤレスデバイスと通信している第２のワイヤレスデバイス（たとえば、ＵＥ１０１４）から干渉信号（たとえば、干渉信号１０２０）を受信する。一構成では、干渉信号は、受信された意図された信号と同時に受信され得る。別の構成では、干渉信号と受信された意図された信号とは同じキャリア周波数上で受信される。別の態様では、受信モジュール１００４は、全二重モードで動作している第１のワイヤレスデバイスから第１の信号を受信し、第１のワイヤレスデバイスに第２の信号（たとえば、アップリンクデータ信号１０１６）を通信している第２のワイヤレスデバイスから第２の信号（たとえば、干渉信号１０２０）を受信し、第１のワイヤレスデバイスは、同じキャリア周波数上で第１の信号を送信するのと同時に第２の信号を受信し、第２の信号は、同じキャリア周波数上の第１の信号と同時に受信され、第２の信号は干渉信号である。
【００７９】
[0076]本装置は、受信された複数の信号に基づいて行列を構成する行列構成モジュール１００６をさらに含む。一態様では、受信された第１の信号は、第１のワイヤレスデバイスのアンテナの異なるセットから受信された複数の信号を含む。別の態様では、受信された意図された信号は、第１のワイヤレスデバイスのアンテナの異なるセットから受信された複数の信号を含む。
【００８０】
[0077]本装置は決定モジュール１００８をさらに含む。一態様では、決定モジュール１００８は、第２のワイヤレスデバイスに関するチャネル利得を決定し、チャネル利得に基づいて零空間を決定する。別の態様では、決定モジュール１００８は、第１のワイヤレスデバイスに関する第１のチャネル利得と、第２のワイヤレスデバイスに関する第２のチャネル利得とを決定し、第１のチャネル利得と第２のチャネル利得とに基づいて部分空間を決定する。
【００８１】
[0078]本装置は干渉低減モジュール１０１０をさらに含む。一態様では、干渉低減モジュール１０１０は、受信された意図された信号の行列を干渉信号に関連する空間上に射影することによって、干渉信号によって引き起こされる受信された意図された信号の干渉を低減する。一構成では、空間は零空間であり得る。別の構成では、空間は、信号対干渉プラス雑音比（ＳＩＮＲ）を増加させるように構成された部分空間であり得る。別の構成では、空間は、Ｈ*（ｐ×ｇｇH＋σ2Ｉ）-1として定義された部分空間であり得る。別の態様では、本装置は、受信された信号の行列を干渉信号に関連する空間上に射影することによって、干渉信号によって引き起こされる受信された第１の信号の干渉を低減する。一構成では、空間は零空間であり得る。別の構成では、空間は、信号対干渉プラス雑音比（ＳＩＮＲ）を増加させるように構成された部分空間であり得る。別の構成では、空間は、Ｈ*（ｐ×ｇｇH＋σ2Ｉ）-1として定義された部分空間であり得る。
【００８２】
[0079]本装置は、図８および図９の上述のフローチャート中のアルゴリズムのステップの各々を実行する追加のモジュールを含み得る。したがって、図８および図９の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００８３】
[0080]図１１は、処理システム１１１４を採用する装置１００２’のためのハードウェア実装形態の一例を示す図１１００である。処理システム１１１４は、バス１１２４によって概略的に表されるバスアーキテクチャを用いて実装され得る。バス１１２４は、処理システム１１１４の特定の適用例および全体的な設計制約に応じて、任意の数の相互接続バスおよびブリッジを含み得る。バス１１２４は、プロセッサ１１０４、モジュール１００４、１００６、１００８、および１０１０、ならびにコンピュータ可読媒体１１０６によって表される、１つまたは複数のプロセッサおよび／またはハードウェアモジュールを含む様々な回路を互いにリンクする。バス１１２４はまた、タイミングソース、周辺機器、電圧調整器、および電力管理回路など、様々な他の回路をリンクし得るが、これらの回路は当技術分野においてよく知られており、したがって、これ以上説明しない。
【００８４】
[0081]処理システム１１１４はトランシーバ１１１０に結合され得る。トランシーバ１１１０は、１つまたは複数のアンテナ１１２０に結合される。トランシーバ１１１０は、伝送媒体を介して様々な他の装置と通信するための手段を与える。トランシーバ１１１０は、１つまたは複数のアンテナ１１２０から信号を受信し、受信された信号から情報を抽出し、抽出された情報を処理システム１１１４、特に受信モジュール１００４に与える。さらに、トランシーバ１１１０は、処理システム１１１４から情報を受信し、受信された情報に基づいて、１つまたは複数のアンテナ１１２０に適用されるべき信号を生成する。処理システム１１１４は、コンピュータ可読媒体１１０６に結合されたプロセッサ１１０４を含む。プロセッサ１１０４は、コンピュータ可読媒体１１０６に記憶されたソフトウェアの実行を含む一般的な処理を担当する。ソフトウェアは、プロセッサ１１０４によって実行されたとき、処理システム１１１４に、特定の装置のための上記で説明した様々な機能を実行させる。コンピュータ可読媒体１１０６はまた、ソフトウェアを実行するときにプロセッサ１１０４によって操作されるデータを記憶するために使用され得る。処理システムは、モジュール１００４、１００６、１００８、および１０１０のうちの少なくとも１つをさらに含む。それらのモジュールは、プロセッサ１１０４中で動作するか、コンピュータ可読媒体１１０６中に常駐する／記憶されたソフトウェアモジュールであるか、プロセッサ１１０４に結合された１つまたは複数のハードウェアモジュールであるか、またはそれらの何らかの組合せであり得る。処理システム１１１４は、ＵＥ６５０の構成要素であり得、メモリ６６０および／またはＴＸプロセッサ６６８と、ＲＸプロセッサ６５６と、コントローラ／プロセッサ６５９とのうちの少なくとも１つを含み得る。
【００８５】
[0082]一構成では、ワイヤレス通信のための装置１００２／１００２’は、全二重モードで動作している第１のワイヤレスデバイスから意図された信号を受信するための手段と、第１のワイヤレスデバイスと通信している第２のワイヤレスデバイスから干渉信号を受信するための手段と、受信された意図された信号の行列を干渉信号に関連する空間上に射影することによって、干渉信号によって引き起こされる受信された意図された信号の干渉を低減するための手段と、第２のワイヤレスデバイスに関するチャネル利得を決定するための手段と、チャネル利得に基づいて零空間を決定するための手段と、第１のワイヤレスデバイスに関する第１のチャネル利得と、第２のワイヤレスデバイスに関する第２のチャネル利得とを決定するための手段と、第１のチャネル利得と第２のチャネル利得とに基づいて部分空間を決定するための手段と、受信された複数の信号に基づいて行列を構成するための手段と、全二重モードで動作している第１のワイヤレスデバイスから第１の信号を受信するための手段と、第１のワイヤレスデバイスに第２の信号を通信している第２のワイヤレスデバイスから第２の信号を受信するための手段と、第１のワイヤレスデバイスが、同じキャリア周波数上で第１の信号を送信するのと同時に第２の信号を受信し、第２の信号が、同じキャリア周波数上の第１の信号と同時に受信され、第２の信号が干渉信号である、受信された信号の行列を干渉信号に関連する空間上に射影することによって、干渉信号によって引き起こされる受信された第１の信号の干渉を低減するための手段とを含む。
【００８６】
[0083]上述の手段は、上述の手段によって具陳された機能を実行するように構成された、装置１００２、および／または装置１００２’の処理システム１１１４の上述のモジュールのうちの１つまたは複数であり得る。上記で説明したように、処理システム１１１４は、ＴＸプロセッサ６６８と、ＲＸプロセッサ６５６と、コントローラ／プロセッサ６５９とを含み得る。したがって、一構成では、上述の手段は、上述の手段によって具陳された機能を実行するように構成されたＴＸプロセッサ６６８と、ＲＸプロセッサ６５６と、コントローラ／プロセッサ６５９とであり得る。
【００８７】
[0084]開示したプロセスにおけるステップの特定の順序または階層は、例示的な手法の一例であることを理解されたい。設計上の選好に基づいて、プロセス中のステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【００８８】
[0085]以上の説明は、当業者が本明細書で説明された様々な態様を実行できるようにするために提供される。これらの態様に対する様々な変更は当業者には容易に明らかであり、本明細書で定義された一般原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という語は「１つまたは複数の」を表す。当業者に知られている、または後に知られることになる、本開示全体にわたって説明された様々な態様の要素のすべての構造的および機能的均等物は、参照により本明細書に明確に組み込まれ、特許請求の範囲に包含されるものである。その上、本明細書で開示されたいかなることも、そのような開示が特許請求の範囲に明示的に具陳されているかどうかにかかわらず、公に供されるものではない。いかなるクレーム要素も、その要素が「ための手段」という語句を使用して明確に具陳されていない限り、ミーンズプラスファンクションとして解釈されるべきではない。
【図１】
2016511986.tif 000017
【図２】
2016511986.tif 000018
【図３】
2016511986.tif 000019
【図４】
2016511986.tif 000020
【図５】
2016511986.tif 000021
【図６】
2016511986.tif 000022
【図７】
2016511986.tif 000023
【図８】
2016511986.tif 000024
【図９】
2016511986.tif 000025
【図１０】
2016511986.tif 000026
【図１１】
2016511986.tif 000027
【手続補正書】
【提出日】平成27年10月29日(2015.10.29)
【手続補正１】
【補正対象書類名】特許請求の範囲
【補正対象項目名】全文
【補正方法】変更
【補正の内容】
【特許請求の範囲】
【請求項１】
全二重モードで動作している第１のワイヤレスデバイスから意図された信号を受信することと、前記第１のワイヤレスデバイスはアクセスポイントである、
前記受信された意図された信号と同時に第２のワイヤレスデバイスから干渉信号を受信することと、前記第２のワイヤレスデバイスは、前記第１のワイヤレスデバイスに前記干渉信号を通信している、
前記受信された意図された信号の行列を前記干渉信号に関連する空間上に射影することによって、前記干渉信号によって引き起こされる前記受信された意図された信号の干渉を低減することと
を備えるワイヤレス通信の方法。
【請求項２】
前記第２のワイヤレスデバイスに関するチャネル利得を決定することと、
前記チャネル利得に基づいて零空間を決定することと、をさらに備え、
ここにおいて、前記空間が前記零空間である、請求項１に記載の方法。
【請求項３】
前記第１のワイヤレスデバイスに関する第１のチャネル利得と前記第２のワイヤレスデバイスに関する第２のチャネル利得とを決定することと、
前記第１のチャネル利得と前記第２のチャネル利得とに基づいて部分空間を決定することと、をさらに備え、
ここにおいて、前記空間が前記部分空間であり、前記部分空間が、信号対干渉プラス雑音比（ＳＩＮＲ）を増加させるように構成された、請求項１に記載の方法。
【請求項４】
前記部分空間がＨ*（ｐ×ｇｇH＋σ2Ｉ）-1として定義され、
ただし、Ｈは前記第１のチャネル利得であり、ｐは前記干渉信号の電力であり、ｇは前記第２のチャネル利得であり、ｇHはｇのエルミート共役であり、Ｉは単位行列であり、σ2は受信機における雑音の分散である、請求項３に記載の方法。
【請求項５】
前記干渉信号と前記受信された意図された信号とが同じキャリア周波数上で受信される、請求項１に記載の方法。
【請求項６】
前記受信された意図された信号が、前記第１のワイヤレスデバイスのアンテナの異なるセットから受信された複数の信号を備え、前記方法が、前記受信された複数の信号に基づいて前記行列を構成することをさらに備える、請求項１に記載の方法。
【請求項７】
全二重モードで動作している第１のワイヤレスデバイスから第１の信号を受信することと、前記第１のワイヤレスデバイスはアクセスポイントである、
前記第１のワイヤレスデバイスに第２の信号を通信している第２のワイヤレスデバイスから前記第２の信号を受信することと、前記第１のワイヤレスデバイスが、同じキャリア周波数上で前記第１の信号を送信するのと同時に前記第２の信号を受信し、前記第２の信号が、前記同じキャリア周波数上の前記第１の信号と同時に受信され、前記第２の信号が干渉信号である、
前記受信された信号の行列を前記干渉信号に関連する空間上に射影することによって、前記干渉信号により引き起こされる前記受信された第１の信号の干渉を低減することと、を備えるワイヤレス通信の方法。
【請求項８】
前記第２のワイヤレスデバイスに関するチャネル利得を決定することと、
前記チャネル利得に基づいて零空間を決定することと、をさらに備え、
ここにおいて、前記空間が前記零空間である、請求項７に記載の方法。
【請求項９】
前記第１のワイヤレスデバイスに関する第１のチャネル利得と前記第２のワイヤレスデバイスに関する第２のチャネル利得とを決定することと、
前記第１のチャネル利得と前記第２のチャネル利得とに基づいて部分空間を決定することと、をさらに備え、
ここにおいて、前記空間が前記部分空間であり、前記部分空間が、信号対干渉プラス雑音比（ＳＩＮＲ）を増加させるように構成された、請求項７に記載の方法。
【請求項１０】
前記部分空間がＨ*（ｐ×ｇｇH＋σ2Ｉ）-1として定義され、
ただし、Ｈは前記第１のチャネル利得であり、ｐは前記干渉信号の電力であり、ｇは前記第２のチャネル利得であり、ｇHはｇのエルミート共役であり、Ｉは単位行列であり、σ2は受信機における雑音の分散である、請求項９に記載の方法。
【請求項１１】
前記受信された第１の信号が、前記第１のワイヤレスデバイスのアンテナの異なるセットから受信された複数の信号を備え、前記方法が、前記受信された複数の信号に基づいて前記行列を構成することをさらに備える、請求項７に記載の方法。
【請求項１２】
全二重モードで動作している第１のワイヤレスデバイスから意図された信号を受信するための手段と、前記第１のワイヤレスデバイスはアクセスポイントである、
前記受信された意図された信号と同時に第２のワイヤレスデバイスから干渉信号を受信するための手段と、前記第２のワイヤレスデバイスは、前記第１のワイヤレスデバイスに前記干渉信号を通信している、
前記受信された意図された信号の行列を前記干渉信号に関連する空間上に射影することによって、前記干渉信号によって引き起こされる前記受信された意図された信号の干渉を低減するための手段と、
を備えるワイヤレス通信のための装置。
【請求項１３】
前記第２のワイヤレスデバイスに関するチャネル利得を決定するための手段と、
前記チャネル利得に基づいて零空間を決定するための手段とをさらに備え、
ここにおいて、前記空間が前記零空間である、請求項１２に記載の装置。
【請求項１４】
前記第１のワイヤレスデバイスに関する第１のチャネル利得と、前記第２のワイヤレスデバイスに関する第２のチャネル利得とを決定するための手段と、
前記第１のチャネル利得と前記第２のチャネル利得とに基づいて部分空間を決定するための手段と、をさらに備え、
ここにおいて、前記空間が前記部分空間であり、前記部分空間が、信号対干渉プラス雑音比（ＳＩＮＲ）を増加させるように構成された、請求項１２に記載の装置。
【請求項１５】
前記部分空間がＨ*（ｐ×ｇｇH＋σ2Ｉ）-1として定義され、
ただし、Ｈは前記第１のチャネル利得であり、ｐは前記干渉信号の電力であり、ｇは前記第２のチャネル利得であり、ｇHはｇのエルミート共役であり、Ｉは単位行列であり、σ2は受信機における雑音の分散である、請求項１４に記載の装置。
【請求項１６】
前記干渉信号と前記受信された意図された信号とが同じキャリア周波数上で受信される、請求項１２に記載の装置。
【請求項１７】
前記受信された意図された信号が、前記第１のワイヤレスデバイスのアンテナの異なるセットから受信された複数の信号を備え、前記装置が、前記受信された複数の信号に基づいて前記行列を構成するための手段をさらに備える、請求項１２に記載の装置。
【請求項１８】
全二重モードで動作している第１のワイヤレスデバイスから第１の信号を受信するための手段と、前記第１のワイヤレスデバイスはアクセスポイントである、
前記第１のワイヤレスデバイスに第２の信号を通信している第２のワイヤレスデバイスから前記第２の信号を受信するための手段と、前記第１のワイヤレスデバイスが、同じキャリア周波数上で前記第１の信号を送信するのと同時に前記第２の信号を受信し、前記第２の信号が、前記同じキャリア周波数上の前記第１の信号と同時に受信され、前記第２の信号が干渉信号である、
前記受信された信号の行列を前記干渉信号に関連する空間上に射影することによって、前記干渉信号によって引き起こされる前記受信された第１の信号の干渉を低減するための手段と、
を備えるワイヤレス通信のための装置。
【請求項１９】
前記第２のワイヤレスデバイスに関するチャネル利得を決定するための手段と、
前記チャネル利得に基づいて零空間を決定するための手段と、をさらに備え、
ここにおいて、前記空間が前記零空間である、請求項１８に記載の装置。
【請求項２０】
前記第１のワイヤレスデバイスに関する第１のチャネル利得と前記第２のワイヤレスデバイスに関する第２のチャネル利得とを決定するための手段と、
前記第１のチャネル利得と前記第２のチャネル利得とに基づいて部分空間を決定するための手段と、をさらに備え、
ここにおいて、前記空間が前記部分空間であり、前記部分空間が、信号対干渉プラス雑音比（ＳＩＮＲ）を増加させるように構成された、請求項１８に記載の装置。
【請求項２１】
前記部分空間がＨ*（ｐ×ｇｇH＋σ2Ｉ）-1として定義され、
ただし、Ｈは前記第１のチャネル利得であり、ｐは前記干渉信号の電力であり、ｇは前記第２のチャネル利得であり、ｇHはｇのエルミート共役であり、Ｉは単位行列であり、σ2は受信機における雑音の分散である、請求項２０に記載の装置。
【請求項２２】
前記受信された第１の信号が、前記第１のワイヤレスデバイスのアンテナの異なるセットから受信された複数の信号を備え、前記装置が、前記受信された複数の信号に基づいて前記行列を構成するための手段をさらに備える、請求項１８に記載の装置。
【請求項２３】
全二重モードで動作している第１のワイヤレスデバイスから意図された信号を受信することと、前記第１のワイヤレスデバイスはアクセスポイントである、
前記受信された意図された信号と同時に第２のワイヤレスデバイスから干渉信号を受信することと、前記第２のワイヤレスデバイスは、前記第１のワイヤレスデバイスに前記干渉信号を通信している、
を行うように構成された受信モジュールと、
前記受信された意図された信号の行列を前記干渉信号に関連する空間上に射影することによって、前記干渉信号によって引き起こされる前記受信された意図された信号の干渉を低減するように構成された干渉低減モジュールと、
を備えるワイヤレス通信のための装置。
【請求項２４】
前記第２のワイヤレスデバイスに関するチャネル利得を決定することと、
前記チャネル利得に基づいて零空間を決定することと、
を行うように構成された決定モジュールをさらに備え、
ここにおいて、前記空間が前記零空間である、請求項２３に記載の装置。
【請求項２５】
前記第１のワイヤレスデバイスに関する第１のチャネル利得と、前記第２のワイヤレスデバイスに関する第２のチャネル利得とを決定することと、
前記第１のチャネル利得と前記第２のチャネル利得とに基づいて部分空間を決定することと、
を行うように構成された決定モジュールをさらに備え、
ここにおいて、前記空間が前記部分空間であり、前記部分空間が、信号対干渉プラス雑音比（ＳＩＮＲ）を増加させるように構成された、請求項２３に記載の装置。
【請求項２６】
前記部分空間がＨ*（ｐ×ｇｇH＋σ2Ｉ）-1として定義され、
ただし、Ｈは前記第１のチャネル利得であり、ｐは前記干渉信号の電力であり、ｇは前記第２のチャネル利得であり、ｇHはｇのエルミート共役であり、Ｉは単位行列であり、σ2は受信機における雑音の分散である、請求項２５に記載の装置。
【請求項２７】
前記干渉信号と前記受信された意図された信号とが同じキャリア周波数上で受信される、請求項２３に記載の装置。
【請求項２８】
前記受信された意図された信号が、前記第１のワイヤレスデバイスのアンテナの異なるセットから受信された複数の信号を備え、前記装置が、前記受信された複数の信号に基づいて前記行列を構成するように構成された行列構成モジュールをさらに備える、請求項２３に記載の装置。
【請求項２９】
全二重モードで動作している第１のワイヤレスデバイスから第１の信号を受信することと、前記第１のワイヤレスデバイスはアクセスポイントである、
前記第１のワイヤレスデバイスに第２の信号を通信している第２のワイヤレスデバイスから前記第２の信号を受信することと、前記第１のワイヤレスデバイスが、同じキャリア周波数上で前記第１の信号を送信するのと同時に前記第２の信号を受信し、前記第２の信号が、前記同じキャリア周波数上の前記第１の信号と同時に受信され、前記第２の信号が干渉信号である、
を行うように構成された決定モジュールと、
前記受信された信号の行列を前記干渉信号に関連する空間上に射影することによって、前記干渉信号によって引き起こされる前記受信された第１の信号の干渉を低減するように構成された干渉低減モジュールと、
を備えるワイヤレス通信のための装置。
【請求項３０】
前記第２のワイヤレスデバイスに関するチャネル利得を決定することと、
前記チャネル利得に基づいて零空間を決定することと、
を行うように構成された決定モジュールをさらに備え、
ここにおいて、前記空間が前記零空間である、請求項２９に記載の装置。
【請求項３１】
前記第１のワイヤレスデバイスに関する第１のチャネル利得と、前記第２のワイヤレスデバイスに関する第２のチャネル利得とを決定することと、
前記第１のチャネル利得と前記第２のチャネル利得とに基づいて部分空間を決定することと、
を行うように構成された決定モジュールをさらに備え、
ここにおいて、前記空間が前記部分空間であり、前記部分空間が、信号対干渉プラス雑音比（ＳＩＮＲ）を増加させるように構成された、請求項２９に記載の装置。
【請求項３２】
前記部分空間がＨ*（ｐ×ｇｇH＋σ2Ｉ）-1として定義され、
ただし、Ｈは前記第１のチャネル利得であり、ｐは前記干渉信号の電力であり、ｇは前記第２のチャネル利得であり、ｇHはｇのエルミート共役であり、Ｉは単位行列であり、σ2は受信機における雑音の分散である、請求項３１に記載の装置。
【請求項３３】
前記受信された第１の信号が、前記第１のワイヤレスデバイスのアンテナの異なるセットから受信された複数の信号を備え、前記装置が、前記受信された複数の信号に基づいて前記行列を構成するように構成された行列構成モジュールをさらに備える、請求項２９に記載の装置。
【請求項３４】
全二重モードで動作している第１のワイヤレスデバイスから意図された信号を受信することと、前記第１のワイヤレスデバイスはアクセスポイントである、
前記受信された意図された信号と同時に第２のワイヤレスデバイスから干渉信号を受信することと、前記第２のワイヤレスデバイスは、前記第１のワイヤレスデバイスに前記干渉信号を通信している、
前記受信された意図された信号の行列を前記干渉信号に関連する空間上に射影することによって、前記干渉信号によって引き起こされる前記受信された意図された信号の干渉を低減することと、
を行うためのコードを備えるコンピュータ可読媒体
を備える、コンピュータプログラム製品。
【請求項３５】
前記コンピュータ可読媒体が、
前記第２のワイヤレスデバイスに関するチャネル利得を決定することと、
前記チャネル利得に基づいて零空間を決定することと、
を行うためのコードをさらに備え、
ここにおいて、前記空間が前記零空間である、請求項３４に記載のコンピュータプログラム製品。
【請求項３６】
前記コンピュータ可読媒体が、
前記第１のワイヤレスデバイスに関する第１のチャネル利得と、前記第２のワイヤレスデバイスに関する第２のチャネル利得とを決定することと、
前記第１のチャネル利得と前記第２のチャネル利得とに基づいて部分空間を決定することと、
を行うためのコードをさらに備え、
ここにおいて、前記空間が前記部分空間であり、前記部分空間が、信号対干渉プラス雑音比（ＳＩＮＲ）を増加させるように構成された、請求項３４に記載のコンピュータプログラム製品。
【請求項３７】
前記部分空間がＨ*（ｐ×ｇｇH＋σ2Ｉ）-1として定義され、
ただし、Ｈは前記第１のチャネル利得であり、ｐは前記干渉信号の電力であり、ｇは前記第２のチャネル利得であり、ｇHはｇのエルミート共役であり、Ｉは単位行列であり、σ2は受信機における雑音の分散である、請求項３６に記載のコンピュータプログラム製品。
【請求項３８】
前記干渉信号と前記受信された意図された信号とが同じキャリア周波数上で受信される、請求項３４に記載のコンピュータプログラム製品。
【請求項３９】
前記受信された意図された信号が、前記第１のワイヤレスデバイスのアンテナの異なるセットから受信された複数の信号を備え、前記コンピュータ可読媒体が、前記受信された複数の信号に基づいて前記行列を構成するためのコードをさらに備える、請求項３４に記載のコンピュータプログラム製品。
【請求項４０】
全二重モードで動作している第１のワイヤレスデバイスから第１の信号を受信することと、前記第１のワイヤレスデバイスはアクセスポイントである、
前記第１のワイヤレスデバイスに第２の信号を通信している第２のワイヤレスデバイスから前記第２の信号を受信することと、前記第１のワイヤレスデバイスが、同じキャリア周波数上で前記第１の信号を送信するのと同時に前記第２の信号を受信し、前記第２の信号が、前記同じキャリア周波数上の前記第１の信号と同時に受信され、前記第２の信号が干渉信号である、
前記受信された信号の行列を前記干渉信号に関連する空間上に射影することによって、前記干渉信号により引き起こされる前記受信された第１の信号の干渉を低減することと、を行うためのコードを備えるコンピュータ可読媒体
を備える、コンピュータプログラム製品。
【請求項４１】
前記コンピュータ可読媒体が、
前記第２のワイヤレスデバイスに関するチャネル利得を決定することと、
前記チャネル利得に基づいて零空間を決定することと、
を行うためのコードをさらに備え、
ここにおいて、前記空間が前記零空間である、請求項４０に記載のコンピュータプログラム製品。
【請求項４２】
前記コンピュータ可読媒体が、
前記第１のワイヤレスデバイスに関する第１のチャネル利得と、前記第２のワイヤレスデバイスに関する第２のチャネル利得とを決定することと、
前記第１のチャネル利得と前記第２のチャネル利得とに基づいて部分空間を決定することと、
を行うためのコードをさらに備え、
ここにおいて、前記空間が前記部分空間であり、前記部分空間が、信号対干渉プラス雑音比（ＳＩＮＲ）を増加させるように構成された、請求項４０に記載のコンピュータプログラム製品。
【請求項４３】
前記部分空間がＨ*（ｐ×ｇｇH＋σ2Ｉ）-1として定義され、
ただし、Ｈは前記第１のチャネル利得であり、ｐは前記干渉信号の電力であり、ｇは前記第２のチャネル利得であり、ｇHはｇのエルミート共役であり、Ｉは単位行列であり、σ2は受信機における雑音の分散である、請求項４２に記載のコンピュータプログラム製品。
【請求項４４】
前記受信された第１の信号が、前記第１のワイヤレスデバイスのアンテナの異なるセットから受信された複数の信号を備え、前記コンピュータ可読媒体が、前記受信された複数の信号に基づいて前記行列を構成するためのコードをさらに備える、請求項４０に記載のコンピュータプログラム製品。
【手続補正２】
【補正対象書類名】明細書
【補正対象項目名】００８８
【補正方法】変更
【補正の内容】
【００８８】
[0085]以上の説明は、当業者が本明細書で説明された様々な態様を実行できるようにするために提供される。これらの態様に対する様々な変更は当業者には容易に明らかであり、本明細書で定義された一般原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という語は「１つまたは複数の」を表す。当業者に知られている、または後に知られることになる、本開示全体にわたって説明された様々な態様の要素のすべての構造的および機能的均等物は、参照により本明細書に明確に組み込まれ、特許請求の範囲に包含されるものである。その上、本明細書で開示されたいかなることも、そのような開示が特許請求の範囲に明示的に具陳されているかどうかにかかわらず、公に供されるものではない。いかなるクレーム要素も、その要素が「ための手段」という語句を使用して明確に具陳されていない限り、ミーンズプラスファンクションとして解釈されるべきではない。
以下に、本願出願の当初の特許請求の範囲に記載された発明を付記する。
［Ｃ１］
全二重モードで動作している第１のワイヤレスデバイスから意図された信号を受信することと、
前記第１のワイヤレスデバイスと通信している第２のワイヤレスデバイスから干渉信号を受信することと、
前記受信された意図された信号の行列を前記干渉信号に関連する空間上に射影することによって、前記干渉信号によって引き起こされる前記受信された意図された信号の干渉を低減することと
を備えるワイヤレス通信の方法。
［Ｃ２］
前記第２のワイヤレスデバイスに関するチャネル利得を決定することと、
前記チャネル利得に基づいて零空間を決定することと、をさらに備え、
ここにおいて、前記空間が前記零空間である、Ｃ１に記載の方法。
［Ｃ３］
前記第１のワイヤレスデバイスに関する第１のチャネル利得と前記第２のワイヤレスデバイスに関する第２のチャネル利得とを決定することと、
前記第１のチャネル利得と前記第２のチャネル利得とに基づいて部分空間を決定することと、をさらに備え、
ここにおいて、前記空間が前記部分空間であり、前記部分空間が、信号対干渉プラス雑音比（ＳＩＮＲ）を増加させるように構成された、Ｃ１に記載の方法。
［Ｃ４］
前記部分空間がＨ*（ｐ×ｇｇH＋σ2Ｉ）-1として定義され、
ただし、Ｈは前記第１のチャネル利得であり、ｐは前記干渉信号の電力であり、ｇは前記第２のチャネル利得であり、ｇHはｇのエルミート共役であり、Ｉは単位行列であり、σ2は受信機における雑音の分散である、Ｃ３に記載の方法。
［Ｃ５］
前記干渉信号が、前記受信された意図された信号と同時に受信され、ここにおいて、前記干渉信号と前記受信された意図された信号とが同じキャリア周波数上で受信される、Ｃ１に記載の方法。
［Ｃ６］
前記受信された意図された信号が、前記第１のワイヤレスデバイスのアンテナの異なるセットから受信された複数の信号を備え、前記方法が、前記受信された複数の信号に基づいて前記行列を構成することをさらに備える、Ｃ１に記載の方法。
［Ｃ７］
全二重モードで動作している第１のワイヤレスデバイスから第１の信号を受信することと、
前記第１のワイヤレスデバイスに第２の信号を通信している第２のワイヤレスデバイスから前記第２の信号を受信することと、前記第１のワイヤレスデバイスが、同じキャリア周波数上で前記第１の信号を送信するのと同時に前記第２の信号を受信し、前記第２の信号が、前記同じキャリア周波数上の前記第１の信号と同時に受信され、前記第２の信号が干渉信号である、
前記受信された信号の行列を前記干渉信号に関連する空間上に射影することによって、前記干渉信号により引き起こされる前記受信された第１の信号の干渉を低減することと、を備えるワイヤレス通信の方法。
［Ｃ８］
前記第２のワイヤレスデバイスに関するチャネル利得を決定することと、
前記チャネル利得に基づいて零空間を決定することと、をさらに備え、
ここにおいて、前記空間が前記零空間である、Ｃ７に記載の方法。
［Ｃ９］
前記第１のワイヤレスデバイスに関する第１のチャネル利得と前記第２のワイヤレスデバイスに関する第２のチャネル利得とを決定することと、
前記第１のチャネル利得と前記第２のチャネル利得とに基づいて部分空間を決定することと、をさらに備え、
ここにおいて、前記空間が前記部分空間であり、前記部分空間が、信号対干渉プラス雑音比（ＳＩＮＲ）を増加させるように構成された、Ｃ７に記載の方法。
［Ｃ１０］
前記部分空間がＨ*（ｐ×ｇｇH＋σ2Ｉ）-1として定義され、
ただし、Ｈは前記第１のチャネル利得であり、ｐは前記干渉信号の電力であり、ｇは前記第２のチャネル利得であり、ｇHはｇのエルミート共役であり、Ｉは単位行列であり、σ2は受信機における雑音の分散である、Ｃ９に記載の方法。
［Ｃ１１］
前記受信された第１の信号が、前記第１のワイヤレスデバイスのアンテナの異なるセットから受信された複数の信号を備え、前記方法が、前記受信された複数の信号に基づいて前記行列を構成することをさらに備える、Ｃ７に記載の方法。
［Ｃ１２］
全二重モードで動作している第１のワイヤレスデバイスから意図された信号を受信するための手段と、
前記第１のワイヤレスデバイスと通信している第２のワイヤレスデバイスから干渉信号を受信するための手段と、
前記受信された意図された信号の行列を前記干渉信号に関連する空間上に射影することによって、前記干渉信号によって引き起こされる前記受信された意図された信号の干渉を低減するための手段と、
を備えるワイヤレス通信のための装置。
［Ｃ１３］
前記第２のワイヤレスデバイスに関するチャネル利得を決定するための手段と、
前記チャネル利得に基づいて零空間を決定するための手段とをさらに備え、
ここにおいて、前記空間が前記零空間である、Ｃ１２に記載の装置。
［Ｃ１４］
前記第１のワイヤレスデバイスに関する第１のチャネル利得と、前記第２のワイヤレスデバイスに関する第２のチャネル利得とを決定するための手段と、
前記第１のチャネル利得と前記第２のチャネル利得とに基づいて部分空間を決定するための手段と、をさらに備え、
ここにおいて、前記空間が前記部分空間であり、前記部分空間が、信号対干渉プラス雑音比（ＳＩＮＲ）を増加させるように構成された、Ｃ１２に記載の装置。
［Ｃ１５］
前記部分空間がＨ*（ｐ×ｇｇH＋σ2Ｉ）-1として定義され、
ただし、Ｈは前記第１のチャネル利得であり、ｐは前記干渉信号の電力であり、ｇは前記第２のチャネル利得であり、ｇHはｇのエルミート共役であり、Ｉは単位行列であり、σ2は受信機における雑音の分散である、Ｃ１４に記載の装置。
［Ｃ１６］
前記干渉信号が、前記受信された意図された信号と同時に受信され、ここにおいて、前記干渉信号と前記受信された意図された信号とが同じキャリア周波数上で受信される、Ｃ１２に記載の装置。
［Ｃ１７］
前記受信された意図された信号が、前記第１のワイヤレスデバイスのアンテナの異なるセットから受信された複数の信号を備え、前記装置が、前記受信された複数の信号に基づいて前記行列を構成するための手段をさらに備える、Ｃ１２に記載の装置。
［Ｃ１８］
全二重モードで動作している第１のワイヤレスデバイスから第１の信号を受信するための手段と、
前記第１のワイヤレスデバイスに第２の信号を通信している第２のワイヤレスデバイスから前記第２の信号を受信するための手段と、前記第１のワイヤレスデバイスが、同じキャリア周波数上で前記第１の信号を送信するのと同時に前記第２の信号を受信し、前記第２の信号が、前記同じキャリア周波数上の前記第１の信号と同時に受信され、前記第２の信号が干渉信号である、
前記受信された信号の行列を前記干渉信号に関連する空間上に射影することによって、前記干渉信号によって引き起こされる前記受信された第１の信号の干渉を低減するための手段と、
を備えるワイヤレス通信のための装置。
［Ｃ１９］
前記第２のワイヤレスデバイスに関するチャネル利得を決定するための手段と、
前記チャネル利得に基づいて零空間を決定するための手段と、をさらに備え、
ここにおいて、前記空間が前記零空間である、Ｃ１８に記載の装置。
［Ｃ２０］
前記第１のワイヤレスデバイスに関する第１のチャネル利得と前記第２のワイヤレスデバイスに関する第２のチャネル利得とを決定するための手段と、
前記第１のチャネル利得と前記第２のチャネル利得とに基づいて部分空間を決定するための手段と、をさらに備え、
ここにおいて、前記空間が前記部分空間であり、前記部分空間が、信号対干渉プラス雑音比（ＳＩＮＲ）を増加させるように構成された、Ｃ１８に記載の装置。
［Ｃ２１］
前記部分空間がＨ*（ｐ×ｇｇH＋σ2Ｉ）-1として定義され、
ただし、Ｈは前記第１のチャネル利得であり、ｐは前記干渉信号の電力であり、ｇは前記第２のチャネル利得であり、ｇHはｇのエルミート共役であり、Ｉは単位行列であり、σ2は受信機における雑音の分散である、Ｃ２０に記載の装置。
［Ｃ２２］
前記受信された第１の信号が、前記第１のワイヤレスデバイスのアンテナの異なるセットから受信された複数の信号を備え、前記装置が、前記受信された複数の信号に基づいて前記行列を構成するための手段をさらに備える、Ｃ１８に記載の装置。
［Ｃ２３］
全二重モードで動作している第１のワイヤレスデバイスから意図された信号を受信することと、
前記第１のワイヤレスデバイスと通信している第２のワイヤレスデバイスから干渉信号を受信することと、
を行うように構成された受信モジュールと、
前記受信された意図された信号の行列を前記干渉信号に関連する空間上に射影することによって、前記干渉信号によって引き起こされる前記受信された意図された信号の干渉を低減するように構成された干渉低減モジュールと、
を備えるワイヤレス通信のための装置。
［Ｃ２４］
前記第２のワイヤレスデバイスに関するチャネル利得を決定することと、
前記チャネル利得に基づいて零空間を決定することと、
を行うように構成された決定モジュールをさらに備え、
ここにおいて、前記空間が前記零空間である、Ｃ２３に記載の装置。
［Ｃ２５］
前記第１のワイヤレスデバイスに関する第１のチャネル利得と、前記第２のワイヤレスデバイスに関する第２のチャネル利得とを決定することと、
前記第１のチャネル利得と前記第２のチャネル利得とに基づいて部分空間を決定することと、
を行うように構成された決定モジュールをさらに備え、
ここにおいて、前記空間が前記部分空間であり、前記部分空間が、信号対干渉プラス雑音比（ＳＩＮＲ）を増加させるように構成された、Ｃ２３に記載の装置。
［Ｃ２６］
前記部分空間がＨ*（ｐ×ｇｇH＋σ2Ｉ）-1として定義され、
ただし、Ｈは前記第１のチャネル利得であり、ｐは前記干渉信号の電力であり、ｇは前記第２のチャネル利得であり、ｇHはｇのエルミート共役であり、Ｉは単位行列であり、σ2は受信機における雑音の分散である、Ｃ２５に記載の装置。
［Ｃ２７］
前記干渉信号が、前記受信された意図された信号と同時に受信され、ここにおいて、前記干渉信号と前記受信された意図された信号とが同じキャリア周波数上で受信される、Ｃ２３に記載の装置。
［Ｃ２８］
前記受信された意図された信号が、前記第１のワイヤレスデバイスのアンテナの異なるセットから受信された複数の信号を備え、前記装置が、前記受信された複数の信号に基づいて前記行列を構成するように構成された行列構成モジュールをさらに備える、Ｃ２３に記載の装置。
［Ｃ２９］
全二重モードで動作している第１のワイヤレスデバイスから第１の信号を受信することと、
前記第１のワイヤレスデバイスに第２の信号を通信している第２のワイヤレスデバイスから前記第２の信号を受信することと、前記第１のワイヤレスデバイスが、同じキャリア周波数上で前記第１の信号を送信するのと同時に前記第２の信号を受信し、前記第２の信号が、前記同じキャリア周波数上の前記第１の信号と同時に受信され、前記第２の信号が干渉信号である、
を行うように構成された決定モジュールと、
前記受信された信号の行列を前記干渉信号に関連する空間上に射影することによって、前記干渉信号によって引き起こされる前記受信された第１の信号の干渉を低減するように構成された干渉低減モジュールと、
を備えるワイヤレス通信のための装置。
［Ｃ３０］
前記第２のワイヤレスデバイスに関するチャネル利得を決定することと、
前記チャネル利得に基づいて零空間を決定することと、
を行うように構成された決定モジュールをさらに備え、
ここにおいて、前記空間が前記零空間である、Ｃ２９に記載の装置。
［Ｃ３１］
前記第１のワイヤレスデバイスに関する第１のチャネル利得と、前記第２のワイヤレスデバイスに関する第２のチャネル利得とを決定することと、
前記第１のチャネル利得と前記第２のチャネル利得とに基づいて部分空間を決定することと、
を行うように構成された決定モジュールをさらに備え、
ここにおいて、前記空間が前記部分空間であり、前記部分空間が、信号対干渉プラス雑音比（ＳＩＮＲ）を増加させるように構成された、Ｃ２９に記載の装置。
［Ｃ３２］
前記部分空間がＨ*（ｐ×ｇｇH＋σ2Ｉ）-1として定義され、
ただし、Ｈは前記第１のチャネル利得であり、ｐは前記干渉信号の電力であり、ｇは前記第２のチャネル利得であり、ｇHはｇのエルミート共役であり、Ｉは単位行列であり、σ2は受信機における雑音の分散である、Ｃ３１に記載の装置。
［Ｃ３３］
前記受信された第１の信号が、前記第１のワイヤレスデバイスのアンテナの異なるセットから受信された複数の信号を備え、前記装置が、前記受信された複数の信号に基づいて前記行列を構成するように構成された行列構成モジュールをさらに備える、Ｃ２９に記載の装置。
［Ｃ３４］
全二重モードで動作している第１のワイヤレスデバイスから意図された信号を受信することと、
前記第１のワイヤレスデバイスと通信している第２のワイヤレスデバイスから干渉信号を受信することと、
前記受信された意図された信号の行列を前記干渉信号に関連する空間上に射影することによって、前記干渉信号によって引き起こされる前記受信された意図された信号の干渉を低減することと、
を行うためのコードを備えるコンピュータ可読媒体
を備える、コンピュータプログラム製品。
［Ｃ３５］
前記コンピュータ可読媒体が、
前記第２のワイヤレスデバイスに関するチャネル利得を決定することと、
前記チャネル利得に基づいて零空間を決定することと、
を行うためのコードをさらに備え、
ここにおいて、前記空間が前記零空間である、Ｃ３４に記載のコンピュータプログラム製品。
［Ｃ３６］
前記コンピュータ可読媒体が、
前記第１のワイヤレスデバイスに関する第１のチャネル利得と、前記第２のワイヤレスデバイスに関する第２のチャネル利得とを決定することと、
前記第１のチャネル利得と前記第２のチャネル利得とに基づいて部分空間を決定することと、
を行うためのコードをさらに備え、
ここにおいて、前記空間が前記部分空間であり、前記部分空間が、信号対干渉プラス雑音比（ＳＩＮＲ）を増加させるように構成された、Ｃ３４に記載のコンピュータプログラム製品。
［Ｃ３７］
前記部分空間がＨ*（ｐ×ｇｇH＋σ2Ｉ）-1として定義され、
ただし、Ｈは前記第１のチャネル利得であり、ｐは前記干渉信号の電力であり、ｇは前記第２のチャネル利得であり、ｇHはｇのエルミート共役であり、Ｉは単位行列であり、σ2は受信機における雑音の分散である、Ｃ３６に記載のコンピュータプログラム製品。
［Ｃ３８］
前記干渉信号が、前記受信された意図された信号と同時に受信され、ここにおいて、前記干渉信号と前記受信された意図された信号とが同じキャリア周波数上で受信される、Ｃ３４に記載のコンピュータプログラム製品。
［Ｃ３９］
前記受信された意図された信号が、前記第１のワイヤレスデバイスのアンテナの異なるセットから受信された複数の信号を備え、前記コンピュータ可読媒体が、前記受信された複数の信号に基づいて前記行列を構成するためのコードをさらに備える、Ｃ３４に記載のコンピュータプログラム製品。
［Ｃ４０］
全二重モードで動作している第１のワイヤレスデバイスから第１の信号を受信することと、
前記第１のワイヤレスデバイスに第２の信号を通信している第２のワイヤレスデバイスから前記第２の信号を受信することと、前記第１のワイヤレスデバイスが、同じキャリア周波数上で前記第１の信号を送信するのと同時に前記第２の信号を受信し、前記第２の信号が、前記同じキャリア周波数上の前記第１の信号と同時に受信され、前記第２の信号が干渉信号である、
前記受信された信号の行列を前記干渉信号に関連する空間上に射影することによって、前記干渉信号により引き起こされる前記受信された第１の信号の干渉を低減することと、を行うためのコードを備えるコンピュータ可読媒体
を備える、コンピュータプログラム製品。
［Ｃ４１］
前記コンピュータ可読媒体が、
前記第２のワイヤレスデバイスに関するチャネル利得を決定することと、
前記チャネル利得に基づいて零空間を決定することと、
を行うためのコードをさらに備え、
ここにおいて、前記空間が前記零空間である、Ｃ４０に記載のコンピュータプログラム製品。
［Ｃ４２］
前記コンピュータ可読媒体が、
前記第１のワイヤレスデバイスに関する第１のチャネル利得と、前記第２のワイヤレスデバイスに関する第２のチャネル利得とを決定することと、
前記第１のチャネル利得と前記第２のチャネル利得とに基づいて部分空間を決定することと、
を行うためのコードをさらに備え、
ここにおいて、前記空間が前記部分空間であり、前記部分空間が、信号対干渉プラス雑音比（ＳＩＮＲ）を増加させるように構成された、Ｃ４０に記載のコンピュータプログラム製品。
［Ｃ４３］
前記部分空間がＨ*（ｐ×ｇｇH＋σ2Ｉ）-1として定義され、
ただし、Ｈは前記第１のチャネル利得であり、ｐは前記干渉信号の電力であり、ｇは前記第２のチャネル利得であり、ｇHはｇのエルミート共役であり、Ｉは単位行列であり、σ2は受信機における雑音の分散である、Ｃ４２に記載のコンピュータプログラム製品。
［Ｃ４４］
前記受信された第１の信号が、前記第１のワイヤレスデバイスのアンテナの異なるセットから受信された複数の信号を備え、前記コンピュータ可読媒体が、前記受信された複数の信号に基づいて前記行列を構成するためのコードをさらに備える、Ｃ４０に記載のコンピュータプログラム製品。
【手続補正書】
【提出日】平成27年10月30日(2015.10.30)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）のワイヤレス通信の方法であって、
全二重モードで動作している第１のワイヤレスデバイスからダウンリンク上で意図された信号を受信することと、
前記受信された意図された信号と同時に第２のワイヤレスデバイスから干渉信号を受信することと、前記第２のワイヤレスデバイスは、前記第１のワイヤレスデバイスにアップリンク上で前記干渉信号を送信し、前記第２のワイヤレスデバイスは別のＵＥであり、前記アップリンクおよび前記ダウンリンクは同じキャリア周波数を共有する、
前記受信された意図された信号の行列を前記干渉信号に関連する空間上に射影することによって、前記干渉信号によって引き起こされる前記受信された意図された信号の干渉を低減することと
を備える方法。
【請求項２】
前記第２のワイヤレスデバイスに関するチャネル利得を決定することと、
前記チャネル利得に基づいて零空間を決定することと、をさらに備え、
ここにおいて、前記空間が前記零空間である、請求項１に記載の方法。
【請求項３】
前記第１のワイヤレスデバイスに関する第１のチャネル利得と前記第２のワイヤレスデバイスに関する第２のチャネル利得とを決定することと、
前記第１のチャネル利得と前記第２のチャネル利得とに基づいて部分空間を決定することと、をさらに備え、
ここにおいて、前記空間が前記部分空間であり、前記部分空間が、信号対干渉プラス雑音比（ＳＩＮＲ）を増加させるように構成された、請求項１に記載の方法。
【請求項４】
前記部分空間がＨ*（ｐ×ｇｇH＋σ2Ｉ）-1として定義され、
ただし、Ｈは前記第１のチャネル利得であり、ｐは前記干渉信号の電力であり、ｇは前記第２のチャネル利得であり、ｇHはｇのエルミート共役であり、Ｉは単位行列であり、σ2は受信機における雑音の分散である、請求項３に記載の方法。
【請求項５】
前記干渉信号と前記受信された意図された信号とが前記同じキャリア周波数上で受信される、請求項１に記載の方法。
【請求項６】
前記受信された意図された信号が、前記第１のワイヤレスデバイスのアンテナの異なるセットから受信された複数の信号を備え、前記方法が、前記受信された複数の信号に基づいて前記行列を構成することをさらに備える、請求項１に記載の方法。
【請求項７】
ユーザ機器（ＵＥ）のワイヤレス通信の方法であって、
全二重モードで動作している第１のワイヤレスデバイスからダウンリンク上で第１の信号を受信することと、
前記第１のワイヤレスデバイスへのアップリンク上で前記第１のワイヤレスデバイスに第２の信号を送信している第２のワイヤレスデバイスから前記第２の信号を受信することと、前記第２のワイヤレスデバイスは別のＵＥであり、前記第１のワイヤレスデバイスが、同じキャリア周波数上で前記第１の信号を送信するのと同時に前記第２の信号を受信し、前記第２の信号が、前記同じキャリア周波数上の前記第１の信号と同時に受信され、前記第２の信号が干渉信号である、
前記受信された信号の行列を前記干渉信号に関連する空間上に射影することによって、前記干渉信号により引き起こされる前記受信された第１の信号の干渉を低減することと、を備える方法。
【請求項８】
前記第２のワイヤレスデバイスに関するチャネル利得を決定することと、
前記チャネル利得に基づいて零空間を決定することと、をさらに備え、
ここにおいて、前記空間が前記零空間である、請求項７に記載の方法。
【請求項９】
前記第１のワイヤレスデバイスに関する第１のチャネル利得と前記第２のワイヤレスデバイスに関する第２のチャネル利得とを決定することと、
前記第１のチャネル利得と前記第２のチャネル利得とに基づいて部分空間を決定することと、をさらに備え、
ここにおいて、前記空間が前記部分空間であり、前記部分空間が、信号対干渉プラス雑音比（ＳＩＮＲ）を増加させるように構成された、請求項７に記載の方法。
【請求項１０】
前記部分空間がＨ*（ｐ×ｇｇH＋σ2Ｉ）-1として定義され、
ただし、Ｈは前記第１のチャネル利得であり、ｐは前記干渉信号の電力であり、ｇは前記第２のチャネル利得であり、ｇHはｇのエルミート共役であり、Ｉは単位行列であり、σ2は受信機における雑音の分散である、請求項９に記載の方法。
【請求項１１】
前記受信された第１の信号が、前記第１のワイヤレスデバイスのアンテナの異なるセットから受信された複数の信号を備え、前記方法が、前記受信された複数の信号に基づいて前記行列を構成することをさらに備える、請求項７に記載の方法。
【請求項１２】
ワイヤレス通信のための装置であって、前記装置はユーザ機器（ＵＥ）であり、
全二重モードで動作している第１のワイヤレスデバイスから意図された信号を受信するための手段と、
前記受信された意図された信号と同時に第２のワイヤレスデバイスからダウンリンク上で干渉信号を受信するための手段と、前記第２のワイヤレスデバイスは、前記第１のワイヤレスデバイスにアップリンク上で前記干渉信号を送信し、前記第２のワイヤレスデバイスは別のＵＥであり、前記アップリンクおよび前記ダウンリンクは、同じキャリア周波数を共有する、
前記受信された意図された信号の行列を前記干渉信号に関連する空間上に射影することによって、前記干渉信号によって引き起こされる前記受信された意図された信号の干渉を低減するための手段と、
を備える装置。
【請求項１３】
前記第２のワイヤレスデバイスに関するチャネル利得を決定するための手段と、
前記チャネル利得に基づいて零空間を決定するための手段とをさらに備え、
ここにおいて、前記空間が前記零空間である、請求項１２に記載の装置。
【請求項１４】
前記第１のワイヤレスデバイスに関する第１のチャネル利得と、前記第２のワイヤレスデバイスに関する第２のチャネル利得とを決定するための手段と、
前記第１のチャネル利得と前記第２のチャネル利得とに基づいて部分空間を決定するための手段と、をさらに備え、
ここにおいて、前記空間が前記部分空間であり、前記部分空間が、信号対干渉プラス雑音比（ＳＩＮＲ）を増加させるように構成された、請求項１２に記載の装置。
【請求項１５】
前記部分空間がＨ*（ｐ×ｇｇH＋σ2Ｉ）-1として定義され、
ただし、Ｈは前記第１のチャネル利得であり、ｐは前記干渉信号の電力であり、ｇは前記第２のチャネル利得であり、ｇHはｇのエルミート共役であり、Ｉは単位行列であり、σ2は受信機における雑音の分散である、請求項１４に記載の装置。
【請求項１６】
前記干渉信号と前記受信された意図された信号とが前記同じキャリア周波数上で受信される、請求項１２に記載の装置。
【請求項１７】
前記受信された意図された信号が、前記第１のワイヤレスデバイスのアンテナの異なるセットから受信された複数の信号を備え、前記装置が、前記受信された複数の信号に基づいて前記行列を構成するための手段をさらに備える、請求項１２に記載の装置。
【請求項１８】
ワイヤレス通信のための装置であって、前記装置はユーザ機器（ＵＥ）であり、
全二重モードで動作している第１のワイヤレスデバイスから第１の信号を受信するための手段と、
前記第１のワイヤレスデバイスへのアップリンク上で前記第１のワイヤレスデバイスに第２の信号を送信している第２のワイヤレスデバイスから前記第２の信号を受信するための手段と、前記第２のワイヤレスデバイスは別のＵＥであり、前記第１のワイヤレスデバイスが、同じキャリア周波数上で前記第１の信号を送信するのと同時に前記第２の信号を受信し、前記第２の信号が、前記同じキャリア周波数上の前記第１の信号と同時に受信され、前記第２の信号が干渉信号である、
前記受信された信号の行列を前記干渉信号に関連する空間上に射影することによって、前記干渉信号によって引き起こされる前記受信された第１の信号の干渉を低減するための手段と、
を備える装置。
【請求項１９】
前記第２のワイヤレスデバイスに関するチャネル利得を決定するための手段と、
前記チャネル利得に基づいて零空間を決定するための手段と、をさらに備え、
ここにおいて、前記空間が前記零空間である、請求項１８に記載の装置。
【請求項２０】
前記第１のワイヤレスデバイスに関する第１のチャネル利得と前記第２のワイヤレスデバイスに関する第２のチャネル利得とを決定するための手段と、
前記第１のチャネル利得と前記第２のチャネル利得とに基づいて部分空間を決定するための手段と、をさらに備え、
ここにおいて、前記空間が前記部分空間であり、前記部分空間が、信号対干渉プラス雑音比（ＳＩＮＲ）を増加させるように構成された、請求項１８に記載の装置。
【請求項２１】
前記部分空間がＨ*（ｐ×ｇｇH＋σ2Ｉ）-1として定義され、
ただし、Ｈは前記第１のチャネル利得であり、ｐは前記干渉信号の電力であり、ｇは前記第２のチャネル利得であり、ｇHはｇのエルミート共役であり、Ｉは単位行列であり、σ2は受信機における雑音の分散である、請求項２０に記載の装置。
【請求項２２】
前記受信された第１の信号が、前記第１のワイヤレスデバイスのアンテナの異なるセットから受信された複数の信号を備え、前記装置が、前記受信された複数の信号に基づいて前記行列を構成するための手段をさらに備える、請求項１８に記載の装置。
【請求項２３】
ワイヤレス通信のための装置であって、前記装置はユーザ機器（ＵＥ）であり、
全二重モードで動作している第１のワイヤレスデバイスからダウンリンク上で意図された信号を受信することと、
前記受信された意図された信号と同時に第２のワイヤレスデバイスから干渉信号を受信することと、前記第２のワイヤレスデバイスは、前記第１のワイヤレスデバイスにアップリンク上で前記干渉信号を送信し、前記第２のワイヤレスデバイスは別のＵＥであり、前記アップリンクおよび前記ダウンリンクは同じキャリア周波数を共有する、
を行うように構成された受信モジュールと、
前記受信された意図された信号の行列を前記干渉信号に関連する空間上に射影することによって、前記干渉信号によって引き起こされる前記受信された意図された信号の干渉を低減するように構成された干渉低減モジュールと、
を備える装置。
【請求項２４】
前記第２のワイヤレスデバイスに関するチャネル利得を決定することと、
前記チャネル利得に基づいて零空間を決定することと、
を行うように構成された決定モジュールをさらに備え、
ここにおいて、前記空間が前記零空間である、請求項２３に記載の装置。
【請求項２５】
前記第１のワイヤレスデバイスに関する第１のチャネル利得と、前記第２のワイヤレスデバイスに関する第２のチャネル利得とを決定することと、
前記第１のチャネル利得と前記第２のチャネル利得とに基づいて部分空間を決定することと、
を行うように構成された決定モジュールをさらに備え、
ここにおいて、前記空間が前記部分空間であり、前記部分空間が、信号対干渉プラス雑音比（ＳＩＮＲ）を増加させるように構成された、請求項２３に記載の装置。
【請求項２６】
前記部分空間がＨ*（ｐ×ｇｇH＋σ2Ｉ）-1として定義され、
ただし、Ｈは前記第１のチャネル利得であり、ｐは前記干渉信号の電力であり、ｇは前記第２のチャネル利得であり、ｇHはｇのエルミート共役であり、Ｉは単位行列であり、σ2は受信機における雑音の分散である、請求項２５に記載の装置。
【請求項２７】
前記干渉信号と前記受信された意図された信号とが前記同じキャリア周波数上で受信される、請求項２３に記載の装置。
【請求項２８】
前記受信された意図された信号が、前記第１のワイヤレスデバイスのアンテナの異なるセットから受信された複数の信号を備え、前記装置が、前記受信された複数の信号に基づいて前記行列を構成するように構成された行列構成モジュールをさらに備える、請求項２３に記載の装置。
【請求項２９】
ワイヤレス通信のための装置であって、前記装置はユーザ機器（ＵＥ）であり、
全二重モードで動作している第１のワイヤレスデバイスから第１の信号を受信することと、
前記第１のワイヤレスデバイスへのアップリンク上で前記第１のワイヤレスデバイスに第２の信号を送信している第２のワイヤレスデバイスから前記第２の信号を受信することと、前記第２のワイヤレスデバイスは別のＵＥであり、前記第１のワイヤレスデバイスが、同じキャリア周波数上で前記第１の信号を送信するのと同時に前記第２の信号を受信し、前記第２の信号が、前記同じキャリア周波数上の前記第１の信号と同時に受信され、前記第２の信号が干渉信号である、
を行うように構成された決定モジュールと、
前記受信された信号の行列を前記干渉信号に関連する空間上に射影することによって、前記干渉信号によって引き起こされる前記受信された第１の信号の干渉を低減するように構成された干渉低減モジュールと、
を備える装置。
【請求項３０】
前記第２のワイヤレスデバイスに関するチャネル利得を決定することと、
前記チャネル利得に基づいて零空間を決定することと、
を行うように構成された決定モジュールをさらに備え、
ここにおいて、前記空間が前記零空間である、請求項２９に記載の装置。
【請求項３１】
前記第１のワイヤレスデバイスに関する第１のチャネル利得と、前記第２のワイヤレスデバイスに関する第２のチャネル利得とを決定することと、
前記第１のチャネル利得と前記第２のチャネル利得とに基づいて部分空間を決定することと、
を行うように構成された決定モジュールをさらに備え、
ここにおいて、前記空間が前記部分空間であり、前記部分空間が、信号対干渉プラス雑音比（ＳＩＮＲ）を増加させるように構成された、請求項２９に記載の装置。
【請求項３２】
前記部分空間がＨ*（ｐ×ｇｇH＋σ2Ｉ）-1として定義され、
ただし、Ｈは前記第１のチャネル利得であり、ｐは前記干渉信号の電力であり、ｇは前記第２のチャネル利得であり、ｇHはｇのエルミート共役であり、Ｉは単位行列であり、σ2は受信機における雑音の分散である、請求項３１に記載の装置。
【請求項３３】
前記受信された第１の信号が、前記第１のワイヤレスデバイスのアンテナの異なるセットから受信された複数の信号を備え、前記装置が、前記受信された複数の信号に基づいて前記行列を構成するように構成された行列構成モジュールをさらに備える、請求項２９に記載の装置。
【請求項３４】
ユーザ機器（ＵＥ）においてワイヤレス通信のためのコンピュータ実行可能なコードを記憶するコンピュータ可読媒体であって、
全二重モードで動作している第１のワイヤレスデバイスからダウンリンク上で意図された信号を受信することと、
前記受信された意図された信号と同時に第２のワイヤレスデバイスから干渉信号を受信することと、前記第２のワイヤレスデバイスは、前記第１のワイヤレスデバイスにアップリンク上で前記干渉信号を送信し、前記第２のワイヤレスデバイスは別のＵＥであり、前記アップリンクおよび前記ダウンリンクは、同じキャリア周波数を共有する、
前記受信された意図された信号の行列を前記干渉信号に関連する空間上に射影することによって、前記干渉信号によって引き起こされる前記受信された意図された信号の干渉を低減することと、
を行うためのコードを備えるコンピュータ可読媒体。
【請求項３５】
前記コンピュータ可読媒体が、
前記第２のワイヤレスデバイスに関するチャネル利得を決定することと、
前記チャネル利得に基づいて零空間を決定することと、
を行うためのコードをさらに備え、
ここにおいて、前記空間が前記零空間である、請求項３４に記載のコンピュータ可読媒体。
【請求項３６】
前記コンピュータ可読媒体が、
前記第１のワイヤレスデバイスに関する第１のチャネル利得と、前記第２のワイヤレスデバイスに関する第２のチャネル利得とを決定することと、
前記第１のチャネル利得と前記第２のチャネル利得とに基づいて部分空間を決定することと、
を行うためのコードをさらに備え、
ここにおいて、前記空間が前記部分空間であり、前記部分空間が、信号対干渉プラス雑音比（ＳＩＮＲ）を増加させるように構成された、請求項３４に記載のコンピュータ可読媒体。
【請求項３７】
前記部分空間がＨ*（ｐ×ｇｇH＋σ2Ｉ）-1として定義され、
ただし、Ｈは前記第１のチャネル利得であり、ｐは前記干渉信号の電力であり、ｇは前記第２のチャネル利得であり、ｇHはｇのエルミート共役であり、Ｉは単位行列であり、σ2は受信機における雑音の分散である、請求項３６に記載のコンピュータ可読媒体。
【請求項３８】
前記干渉信号と前記受信された意図された信号とが前記同じキャリア周波数上で受信される、請求項３４に記載のコンピュータ可読媒体。
【請求項３９】
前記受信された意図された信号が、前記第１のワイヤレスデバイスのアンテナの異なるセットから受信された複数の信号を備え、前記コンピュータ可読媒体が、前記受信された複数の信号に基づいて前記行列を構成するためのコードをさらに備える、請求項３４に記載のコンピュータ可読媒体。
【請求項４０】
ユーザ機器（ＵＥ）においてワイヤレス通信のためのコンピュータ実行可能なコードを記憶するコンピュータ可読媒体であって、
全二重モードで動作している第１のワイヤレスデバイスからダウンリンク上で第１の信号を受信することと、
前記第１のワイヤレスデバイスへのアップリンク上で前記第１のワイヤレスデバイスに第２の信号を送信している第２のワイヤレスデバイスから前記第２の信号を受信することと、前記第２のワイヤレスデバイスは別のＵＥであり、前記第１のワイヤレスデバイスが、同じキャリア周波数上で前記第１の信号を送信するのと同時に前記第２の信号を受信し、前記第２の信号が、前記同じキャリア周波数上の前記第１の信号と同時に受信され、前記第２の信号が干渉信号である、
前記受信された信号の行列を前記干渉信号に関連する空間上に射影することによって、前記干渉信号により引き起こされる前記受信された第１の信号の干渉を低減することと、を行うためのコードを備えるコンピュータ可読媒体。
【請求項４１】
前記コンピュータ可読媒体が、
前記第２のワイヤレスデバイスに関するチャネル利得を決定することと、
前記チャネル利得に基づいて零空間を決定することと、
を行うためのコードをさらに備え、
ここにおいて、前記空間が前記零空間である、請求項４０に記載のコンピュータ可読媒体。
【請求項４２】
前記コンピュータ可読媒体が、
前記第１のワイヤレスデバイスに関する第１のチャネル利得と、前記第２のワイヤレスデバイスに関する第２のチャネル利得とを決定することと、
前記第１のチャネル利得と前記第２のチャネル利得とに基づいて部分空間を決定することと、
を行うためのコードをさらに備え、
ここにおいて、前記空間が前記部分空間であり、前記部分空間が、信号対干渉プラス雑音比（ＳＩＮＲ）を増加させるように構成された、請求項４０に記載のコンピュータ可読媒体。
【請求項４３】
前記部分空間がＨ*（ｐ×ｇｇH＋σ2Ｉ）-1として定義され、
ただし、Ｈは前記第１のチャネル利得であり、ｐは前記干渉信号の電力であり、ｇは前記第２のチャネル利得であり、ｇHはｇのエルミート共役であり、Ｉは単位行列であり、σ2は受信機における雑音の分散である、請求項４２に記載のコンピュータ可読媒体。
【請求項４４】
前記受信された第１の信号が、前記第１のワイヤレスデバイスのアンテナの異なるセットから受信された複数の信号を備え、前記コンピュータ可読媒体が、前記受信された複数の信号に基づいて前記行列を構成するためのコードをさらに備える、請求項４０に記載のコンピュータ可読媒体。
【国際調査報告】
2016511986.tif 000028
2016511986.tif 000029
2016511986.tif 000030